(57)【要約】  本開示は、現場におけるリスク管理のための情報を提供および受信する方法およびシステムに関し、より詳細には、許可、計画、リスク評価および設備の情報、自動生成文書にアクセスし、許可の可用性および位置に基づく通知を受信する方法およびシステムに関する。開示されたリスク管理システムおよび方法は、リスク管理プロセスにおいて現場オペレーターを関与させ、現場オペレーターに適切な方法でリスク管理タスクを完了させるためのツールを提供する。【選択図】図１
2018511898.tif 000002
【特許請求の範囲】
【請求項１】
プロセッサー、メモリー、ネットワークインターフェース、およびタッチ表示画面を有するコンピューターにおいて実行されるリスク管理のための情報を提供するコンピューター実装方法であって、
前記プロセッサーにおいて、前記ネットワークインターフェースを介して、許可を識別する第１の情報、計画を識別する第２の情報、リスク評価を識別する第３の情報、および設備を識別する第４の情報を受信するステップと、
前記タッチ表示画面上に、許可を識別する前記第１の情報、計画を識別する前記第２の情報、リスク評価を識別する前記第３の情報、および設備を識別する前記第４の情報を表示するステップと、
表示された許可を識別する前記第１の情報、計画を識別する前記第２の情報、リスク評価を識別する前記第３の情報、および設備を識別する前記第４の情報の近位の前記タッチ表示画面上のタッチによってそれぞれ許可、計画、リスク評価、および設備に関するデータへのアクセスを提供するステップと、
表示されたリスク評価を識別する前記第３の情報の近位のタッチ信号を受信すると、ジョブ安全評価識別子を識別する１つ以上の第５の情報を表示するステップと、
表示されたジョブ安全評価識別子を識別する１つ以上の前記第５の情報の近位の前記タッチ表示画面上のタッチ信号を受信すると、特定のジョブ安全評価識別子について関連する許可、計画および設備に関するデータへのアクセスを提供するステップと、
を含む方法。
【請求項２】
表示されたリスク評価を識別する前記第３の情報の近位のタッチ信号を受信すると、ジョブ安全評価識別子を識別する１つ以上の前記第５の情報を受信および表示するステップと、
アイコンを表示するステップと、
表示されたアイコンの近位の前記タッチ表示画面上のタッチ信号を受信すると、ログクエリを識別する１つ以上の情報を受信して前記タッチ表示画面上に表示するステップと、
ログクエリを識別する１つ以上の表示された情報の近位のタッチ信号を受信すると、受信した前記タッチ信号に関連する１つ以上のデータをリモートサーバーに送信するステップと、
前記リモートサーバーがログ形式を有する文書にログクエリを識別する１つ以上の表示された情報の近位の受信された前記タッチ信号に関連する１つ以上のデータを自動生成する処理を提供するステップと、
ログ形式の文書を格納するステップと、
をさらに含む請求項１に記載の方法。
【請求項３】
表示された許可を識別する表示された前記第１の情報の近位のタッチ信号を受信するステップと、
許可を識別する前記第１の情報の近位の前記タッチ表示画面上のタッチ信号を受信すると、特定の許可を識別する１つ以上の情報を受信して前記タッチ表示画面上に表示するステップとをさらに含み、前記特定の許可を識別する前記情報は、前記許可が有効であるか否かまたは前記許可が失効しているか否かを示す表示を含む、請求項１に記載の方法。
【請求項４】
前記コンピューターは、ＧＰＳ追跡をさらに含み、
離れた場所において、ＧＰＳを介してコンピューターの位置を追跡するステップと、
前記離れた場所において、前記コンピューターの位置におけるジョブに関連する許可が失効したか否かを処理するステップと、
前記コンピューターの位置に関連する前記許可が失効した場合には、前記コンピューターへの配信のための通知を送信するステップと、をさらに含む請求項３に記載の方法。
【請求項５】
プロセッサー、メモリー、ネットワークインターフェース、およびタッチ表示画面を含むコンピューター上で実行されるリスク管理のための情報を提供するコンピューター実装方法であって、
処理期間を特定する情報を示すアイコンを表示するステップと、
表示されたアイコンの近位の前記タッチ表示画面上のタッチ信号を受信すると、ログクエリを識別する１つ以上の情報を受信して前記タッチ表示画面上に表示するステップと、
ログクエリを識別する１つ以上の表示された情報の近位のタッチ信号を受信すると、受信された前記タッチ信号に関連する１つ以上のデータをリモートサーバーに送信するステップと、
前記リモートサーバーがログ形式を有する文書にログクエリを識別する１つ以上の表示された情報の近位の受信された前記タッチ信号に関連する１つ以上のデータを自動生成する処理を提供するステップと、
ログ形式の文書を格納するステップと、
を含む方法。
【請求項６】
プロセッサー、メモリー、ネットワークインターフェース、およびタッチ表示画面を含むコンピューター上で実行されるリスク管理のための情報を提供するコンピューター実装方法であって、
前記プロセッサーにおいて、前記ネットワークインターフェースを介して、許可を識別する情報を受信するステップと、
前記タッチ表示画面上に、許可を識別する前記情報を表示するステップと、
許可を識別する表示された前記情報の近位のタッチ信号を受信するステップと、
許可を識別する前記情報の近位の前記タッチ表示画面上のタッチ信号を受信すると、特定の許可を識別する１つ以上の情報を受信して前記タッチ表示画面に表示するステップとを含み、特定の許可を識別する前記情報は、前記許可が有効であるか否かまたは前記許可が失効しているか否かを示す表示を含む方法。
【請求項７】
前記コンピューターは、ＧＰＳ追跡をさらに含み、
離れた場所において、ＧＰＳを介して前記コンピューターの位置を追跡するステップと、
前記離れた場所において、前記コンピューターの位置におけるジョブに関連する許可が失効したか否かを処理するステップと、
前記コンピューターの位置に関連する許可が失効した場合、前記コンピューターへの配信のための通知を送信するステップと、をさらに含む請求項６に記載の方法。
【請求項８】
位置の追跡と相関する時間を追跡するステップをさらに含む請求項７に記載の方法。
【請求項９】
ポータブル装置を所有している人物によって実行されるジョブを選択するステップと、
前記ジョブに関連する情報であって、前記ジョブのために必要な許可、前記ジョブの実行のための計画、前記ジョブに関連するリスク、前記ジョブに関連して使用される設備を有する情報を前記ポータブル装置にダウンロードするステップと、
前記ジョブに必要とされる許可に関する情報、前記ジョブの実行の計画に関する情報、前記ジョブに関連するリスクに関する情報、前記ジョブに関して使用される設備に関する情報それぞれの一つの選択のための対応する表示を表示するステップと、
前記表示のうちの１つの選択を受信するステップと、
受信した前記選択に従ってダウンロードされた情報の少なくとも一部を表示するステップと、
前記人物による前記ジョブの実行に関して表示された前記情報の使用に関連するポータブル装置への入力を受信するステップと、
前記人物による前記ジョブの実行に関する表示された前記情報の使用の記録を記憶できるように前記入力をアップロードするステップと、
を含む方法。
【請求項１０】
ポータブル装置を所有している人物によって実行されるジョブを選択するステップと、
前記ジョブに関連する情報であって、前記ジョブのために必要な許可、前記ジョブの実行のための計画、前記ジョブに関連するリスク、前記ジョブに関連して使用される設備を有する情報を前記ポータブル装置にダウンロードするステップと、
前記ジョブに必要とされる許可に関する情報、前記ジョブの実行の計画に関する情報、前記ジョブに関連するリスクに関する情報、前記ジョブに関して使用される設備に関する情報それぞれの一つの選択のための対応する表示を表示するステップと、
前記表示のうちの１つの選択を受信するステップと、
受信した前記選択に従ってダウンロードされた情報の少なくとも一部を表示するステップと、
前記人物による前記ジョブの実行に関して表示された前記情報の使用に関連するポータブル装置への入力を受信するステップと、
前記人物による前記ジョブの実行に関する表示された前記情報の使用の記録を記憶できるように前記入力をアップロードするステップと、
を実行するように構成されるプロセッサーを有するポータブル装置。
【請求項１１】
前記ジョブの前記選択は、ジョブの種類の選択を含み、前記ジョブの種類は、前記ジョブの種類に応じて、利用可能な情報のライブラリーからダウンロードされる前記情報を予め選択する請求項１０に記載の装置。
【請求項１２】
前記情報は、前記ジョブの種類のジョブが実行されるときに完成される書式からの情報を含み、前記入力は、前記ジョブの種類の前記ジョブが実行されようとするときまたは完了したときに前記書式上で完成される情報である請求項１０に記載の装置。
【請求項１３】
前記情報は、表示された前記情報について受信された前記入力に従って前記ジョブを実行することが許可されているか否かをユーザーに示すように前記ポータブル装置によって実行されうる１つ以上のチェックを含む請求項１０に記載の装置。
【請求項１４】
ポータブル装置を所有している人物によって実行されるジョブを選択し
前記ジョブに関連する情報であって、前記ジョブのために必要な許可、前記ジョブの実行のための計画、前記ジョブに関連するリスク、前記ジョブに関連して使用される設備を有する情報を前記ポータブル装置にダウンロードし、
前記ジョブに必要とされる許可に関する情報、前記ジョブの実行の計画に関する情報、前記ジョブに関連するリスクに関する情報、前記ジョブに関して使用される設備に関する情報それぞれの一つの選択のための対応する表示を表示し、
前記表示のうちの１つの選択を受信し、
受信した前記選択に従ってダウンロードされた情報の少なくとも一部を表示し、
前記人物による前記ジョブの実行に関して表示された前記情報の使用に関連するポータブル装置への入力を受信し、
前記人物による前記ジョブの実行に関する表示された前記情報の使用の記録を記憶できるように前記入力をアップロードするように構成されるプロセッサーを有するシステム。
【請求項１５】
ジョブによって階層的に構造化されたデータベースを含み、各ジョブ内には、前記ジョブの実行のための組織構造および前記ジョブの実行のためのタスク構造に関するフィールドが存在する請求項１４に記載のシステム。
【請求項１６】
前記組織構造は、手順、リスク限度、担当者、化学物質、設備およびリストに関する情報の１つ以上を含む請求項１５に記載のシステム。
【請求項１７】
前記リストは、方法のステップ、タスク、リスクおよび制御のうちの１つ以上を含む請求項１６に記載のシステム。
【請求項１８】
前記ジョブの構造は、ジョブの詳細、クライアントの詳細、ジョブの役割、計画／仕様、およびリスク警告のうちの１つ以上を含む請求項１６または請求項１７に記載のシステム。
【請求項１９】
前記データベースは通信の記録をさらに含む請求項１４に記載のシステム。
【請求項２０】
前記通信の記録は、会議、報告、完成された書式および警告のうちの一つ以上をさらに含む請求項１９に記載のシステム。
【請求項２１】
前記完成された書式は、許可、計画、設備およびリスク評価のうちの一つ以上を含む請求項２０に記載のシステム。
【請求項２２】
前記データベースは、関係者が前記データベースを生成、編集、およびアクセスするための許可をさらに含む請求項１４に記載のシステム。
【請求項２３】
前記許可は、前記関係者が、本社担当者、プロジェクトマネージャー、現場監督であるか現場担当者であるかどうかに応じて設定される請求項２２に記載のシステム。
【請求項２４】
前記許可は、前記関係者が、前記許可に関連して作業する許可の発行者、許可の保有者、現場担当者であるか、本社担当者、プロジェクトマネージャー、現場監督であるかによって設定される請求項２２に記載のシステム。
【請求項２５】
前記現場担当者は、モバイルアプリケーションを介して本発明にアクセスする請求項２３に記載のシステム。
【請求項２６】
前記現場監督は、モバイルアプリケーションを介して本発明にアクセスする請求項２３に記載のシステム。
【請求項２７】
前記プロジェクトマネージャーは、モバイルアプリケーションまたはパーソナルコンピューターを介して本発明にアクセスする請求項２３に記載のシステム。
【請求項２８】
前記本社担当者は、パーソナルコンピューターを介して本発明にアクセスする請求項２３に記載のシステム。
【請求項２９】
プロジェクトマネージャーのみが前記ジョブの要件を達成するための計画を定義および割り当てる許可を有し、全ての関係者が計画を閲覧できる請求項２３に記載のシステム。
【請求項３０】
特定の関係者のみが許可を生成し、現場担当者に許可の下で作業を実行することを承認する許可を有する請求項２４に記載のシステム。
【請求項３１】
特定の前記関係者のみが、許可を保持する資格を有し、前記許可の条件の合致の責任を負う許可の保有者を割り当てる許可を有する請求項２４または請求項３０に記載のシステム。
【請求項３２】
現場監督およびプロジェクトマネージャーは、ジョブ安全評価（ＪＳＡ：Ｊｏｂ  Ｓａｆｅｔｙ  Ａｓｓｅｓｓｍｅｎｔ）を生成する許可のみを有し、現場担当者は、ＪＳＡへの変更を受け入れるかまたは提案する許可を有する請求項２３に記載のシステム。
【請求項３３】
現場担当者は、開始前のチェックリストを完成させる許可を有する請求項２３に記載のシステム。
【請求項３４】
現場担当者は、他人の開始前のチェックリストを閲覧する許可を有さない請求項３３に記載のシステム。
【請求項３５】
現場監督およびプロジェクトマネージャーは、開始前のチェックリストにのみアクセスできる請求項３３に記載のシステム。
【請求項３６】
開始前のチェックリストが正常に完了していない場合、システムは、失敗したチェックリストに関して警告を生成するように構成される請求項３３に記載のシステム。
【請求項３７】
現場担当者は、迅速なリスク評価を生成する許可を有する請求項１４に記載のシステム。
【請求項３８】
現場担当者は、他人の迅速なリスク評価を閲覧する許可を有さない請求項３７に記載のシステム。
【請求項３９】
現場監督およびプロジェクトマネージャーは、迅速なリスク評価にアクセスできる請求項３７に記載のシステム。
【請求項４０】
迅速なリスク評価が正常に完了していない場合、システムは、失敗した迅速なリスク評価に関連して警告を生成するように構成される請求項３７に記載のシステム。
【請求項４１】
本社担当者は、登録簿を生成する許可を有し、他の関係者は、登録簿を閲覧する許可を有する請求項２３に記載のシステム。
【請求項４２】
本社担当者およびプロジェクトマネージャーは、ジョブ上における全ての関係者に対する警告を生成する許可を有する請求項２３に記載のシステム。
【請求項４３】
現場担当者は、危険報告または事故報告を生成する許可を有し、プロジェクトマネージャー、現場監督および事務所担当者は、報告にアクセスする許可を有する請求項２３に記載のシステム。
【請求項４４】
ホーム画面上での選択のためにモバイル装置上に４つの主要なアイコンを表示するように構成され、前記アイコンのそれぞれは許可、計画、設備またはリスク評価をそれぞれ表す請求項１４に記載のシステム。
【請求項４５】
情報の閲覧およびこれらの一つに関連する情報の入力が、階層的に表示または受信される請求項４４に記載のシステム。
【請求項４６】
これらの種類の情報に関連する一つ以上の書式を完成するために、これらの見出しの下のメニューオプションが、一つの画面から次の画面への順次進行によって提示される請求項４５に記載のシステム。
【請求項４７】
通信ツールへのアクセスを可能にする通信アイコンを前記ホーム画面上に提供するように構成される請求項１４に記載のシステム。
【請求項４８】
前記通信アイコンは、通信が関係者の注意を要求するときも表す請求項４７に記載のシステム。
【請求項４９】
前記ポータブル装置は、ネットワーク通信が切断された後にネットワーク通信が再確立されたときに、データをシステムデータベースと同期させるように構成される請求項１５に記載のシステム。
【請求項５０】
前記ポータブル装置は、検索可能かつ拡張可能な情報のリストによって構成される請求項４９に記載のシステム。
【請求項５１】
入力されたデータをログに記録し、次いで、書式の完成をタスクの開始および完了と一致させて、安全のプロトコルの遵守を保証するように構成される請求項１４に記載のシステム。
【請求項５２】
前記ログは、タイムスタンプを含む請求項５１に記載のシステム。
【請求項５３】
前記ログは、位置記録を含む請求項５１または請求項５２に記載のシステム。
【請求項５４】
前記ログは、バーコードスキャンまたはベアフィールド装置スキャンを含む他の入力を含む請求項５１、請求項５２、または請求項５３に記載のシステム。
【請求項５５】
許可または計画または他の要件のうちの１つ以上の有効期間をテストし、現在時間が前記有効期間内でない場合に警告を生成するように構成される請求項１４に記載のシステム。
【請求項５６】
許可または計画または他の要件のうちの１つ以上の有効な地域の適用可能性をテストし、それぞれの許可、計画またはその他の要件を要求する動作が開始されるときに現在の場所が有効な地域内でない場合に警告を生成するように構成される請求項１４に記載のシステム。
【請求項５７】
前記許可が発行される予定の関係者の記録に対する許可の発行の要件をチェックするように構成され、前記要件が満たされない場合には、前記要件が満たされていない旨の警告を発するように構成される請求項１４に記載のシステム。
【請求項５８】
許可の要件が満たされない場合、前記許可を発行できないように構成される請求項５７に記載のシステム。
【請求項５９】
前記ＪＳＡが生成されているアクティビティにおける方法のステップの選択を受信すること、選択された前記方法のステップに適用可能なリスクの選択を受信すること、選択された前記リスクを緩和するための制御を受信すること、選択された前記リスクの各々についてリスク格付けの選択を受信すること、前記ＪＳＡが適用される１人以上の担当者の選択を受信することによってＪＳＡを生成するように構成される請求項１４に記載のシステム。
【請求項６０】
前記方法のステップは、所定の方法のステップのリストから選択でき、前記リスクは、所定のリスクのリストから選択でき、前記制御は、所定の制御のリストから選択でき、前記リスク格付けは、所定のリスク格付けマトリックスから選択でき、および／または担当者は、ＪＳＡが生成されているジョブに割り当てられた所定の担当者リストから選択されてもよい請求項５９に記載のシステム。
【請求項６１】
選択された前記担当者の各々には、前記ＪＳＡの承認を要求するメッセージが送信される請求項５９または６０に記載のシステム。
【請求項６２】
実行されるタスクの選択を受信し、選択された前記タスクに適用可能な可能性のあるリスクの選択を受信し、選択された前記可能性のあるリスクを緩和するための制御の選択を受信することによってリスク評価を生成するように構成される請求項１４に記載のシステム。
【請求項６３】
前記タスクは、所定のタスクのリストから選択されてもよく、前記可能性のあるリスクは、所定の可能性のあるリスクのリストから選択されてもよく、および／または前記制御は、所定の制御のリストから選択されてもよい請求項６２に記載のシステム。
【請求項６４】
設備のアイテムの使用前に実行されるチェック（プレスタート）に関する情報を表示し、チェックされる設備のアイテムの各部分のチェックボックスを提供し、前記部分がチェックされたときに選択を受信し、チェックリストが正常に完了するまで前記アイテムが使用不能であるというメッセージを表示するように構成される請求項１４に記載のシステム。
【請求項６５】
前記チェックリスト内のアイテムがプレスタートのチェックの失敗として選択された場合、前記システムは警告を生成するように構成される請求項６４に記載のシステム。
【請求項６６】
前記設備の前記アイテムは、修理または交換されるまで、前記データベースにおいて故障中としてフラグが設定される請求項６５に記載のシステム。
【請求項６７】
プレスタートは、バーコードスキャン、シリアル番号の入力を含む手段によって前記設備の前記アイテムを識別する請求項６４に記載のシステム。
【請求項６８】
前記システムは、検査される設備もしくは部分の前記アイテムに関する情報、または前記部分の検査方法を表示するように構成される請求項６５に記載のシステム。
【請求項６９】
ジョブへの割り当ては、前記ポータブル装置を有しているどの関係者が存在すべきでないかまたは進入すべきでないかに関してデータベースから情報を検索することによってジオフェンスの生成の契機となり、前記ポータブル装置は前記ジオフェンスに対する位置を確認し、前記ジオフェンスと交差したときに警告を生成する請求項１４に記載のシステム。
【請求項７０】
ポータブル装置への通信チャネルと、
前記前記ポータブル装置を所有する人物によって実行されるジョブの選択を受信するように構成されるプロセッサーと、
ここで、前記プロセッサーは、選択された前記ジョブに関する情報を検索して前記ポータブル装置に送信するように構成され、前記情報は、前記ジョブに必要な許可、前記ジョブの実行のための計画、前記ジョブに関連するリスク、前記ジョブに関して使用される設備を含み、
前記情報は、前記ポータブル装置において適切に表示され、
ここで、前記通信チャネルは、前記人物による前記ジョブの実行に関する表示された前記情報の使用に関連して前記ポータブル装置によって受信された入力を前記ポータブル装置から受信するように構成され、
前記人物による前記ジョブの実行に関連する表示された前記情報の使用の記録を記憶するためのストレージと、
を有するシステム。
【発明の詳細な説明】
【技術分野】
【０００１】
本開示は、現場におけるリスク管理のための情報を提供および受信する方法およびシステムに関し、より詳細には、許可、計画、リスク評価および設備の情報、自動生成文書にアクセスし、許可の可用性および位置に基づく通知を受信する方法およびシステムに関する。
【背景技術】
【０００２】
現在の現場のリスク管理の活動には、従業員の健康および安全、環境保護および品質管理に関する過剰な規制、規約および基準が含まれる。全ての企業が全ての基準を遵守しなくてはならないが、従業員が以下の活動に携わっている場合、遵守は特に困難である。
Ａ）複数の現場または日々変化する現場にわたって発生する活動（たとえば、配管業者、電気技師、移動技術者、移動ヘルスケアサービス）
Ｂ）建設業、鉱業、土木建築業または任意の他の「リスクの高い」作業を含む活動
要するに、遵守（コンプライアンス）は、あらゆるジョブを行う前に「リスク評価」を行うことを従業員に要求する。最も単純な形態では、リスク評価には以下のものが含まれる。
Ａ）ジョブの各段階について全ての危険を特定すること
Ｂ）それぞれの危険について制御を選択すること（もちろん危険が大きいほど、必要とされる制御が強くなる）
Ｃ）「残存」リスクのレベルを（「定性的」評価によって）決定すること
Ｄ）以下の場合のみ、ジョブを進めること
ｉ）残存リスクが「低い」場合
ｉｉ）全ての制御が実施されている場合
これらのリスク評価の大部分（現場において完成される全てのリスク評価を含む）は紙ベースであり、生成される書類の量は膨大である。一例として、現場の従業員が日常的に記入する書式の要約されたリストを以下に示す。
Ａ）車両、トラック、資本設備および工場のための設備のプレスタート：任意の現場の従業員が任意の設備を操作する前に記入しなければならない約３０件の保守点検のリスト
Ｂ）ジョブ安全評価（Ｊｏｂ  Ｓａｆｅｔｙ  Ａｓｓｅｓｓｍｅｎｔ、ＪＳＡ）：プロジェクトまたはジョブにおける全ての段階の詳細なリスク評価。ＪＳＡは全てのチームによって現場ごとに記載され、少なくとも毎日評価される。基本のＪＳＡは、生成に最大６０分、評価に最大２０分かかる。全ての従業員は、毎日仕事を開始する前にＪＳＡを見直し、ＪＳＡに署名しなければならない。
Ｃ）テイク５評価：従業員が特定の作業を開始する前の約３０の危険についての確認
Ｄ）許可：特定の活動が行われる前に実施されなければならない制御の詳細なリスト。たとえば、従業員が以下のことを行う前には、一般に許可が必要とされる。
【０００３】
ｉ）任意の作業を行うための任意の現場への訪問
ｉｉ）任意の表面（たとえば壁）の貫通
ｉｉｉ）掘削（手動または機械的に）
ｉｖ）閉鎖空間進入
ｖ）高所作業（ある高さから１フィート未満でありうる他の高さに落下するリスクとして定義される）
ｖｉ）高温作業実行
ｖｉｉ）植物の除去
ｖｉｉｉ）何人かの作業員に対して、高圧水噴射の実行、およびコンクリート切断鋸の使用
【発明の概要】
【発明が解決しようとする課題】
【０００４】
当然、現場の従業員は、書類生成に対して特に何百回も同じ作業を行った場合に、自然な嫌悪感を抱く。書類生成の重要な欠点は、
Ａ）現場の従業員に毎日「一筆書く」ように伝えることにとてもよく似ている点、
Ｂ）現場の従業員は、システムを尊重しないため、それを鞘取引（アービトラージ：ａｒｂｉｔｒａｇｅ）する点、
Ｃ）このことが、非常に非効率的という点である。たとえば、
ｉ）これらの書式からの多くのデータが、中央システム（たとえば、資産管理システム、訓練システム、現場時間の記録、燃料消費量など）に管理スタッフによって手動で入力されなければならない。
【０００５】
ｉｉ）現場の従業員は書類生成を鞘取引（アービトラージ：ａｒｂｉｔｒａｇｅ）できるため、安全調査員が現場に行って、書類を確認しなければならない。
【０００６】
本明細書においてなされる文書に対する参照は、明示的に述べられていない限り、それらの文書に含まれる情報が、本発明の当業者に知られている一般的な知識の一部を形成することを認めることを意図するものではない。
【課題を解決するための手段】
【０００７】
本明細書および特許請求の範囲を通して、文脈がそれ以外を必要としない限り、「含む（ｃｏｍｐｒｉｓｅ）」の用語または「ｃｏｍｐｒｉｓｅｓ」もしくは「ｃｏｍｐｒｉｓｉｎｇ」などの変形は、記載された整数または整数群を含むが、任意の他の整数または整数群を除外しないことを意味するように理解される。
【０００８】
本開示は、現場におけるリスク管理のための情報を提供および受信する方法およびシステムに関し、より詳細には、許可、計画、リスク評価および設備の情報、自動生成文書にアクセスし、許可の可用性および位置に基づく通知を受信する方法およびシステムに関する。開示されたリスク管理システムおよび方法は、リスク管理プロセスにおいて現場オペレーターを関与させ、現場オペレーターに適切な方法でリスク管理タスクを完了させるためのツールを提供する。
【０００９】
開示されたシステムおよび方法に係る一実施形態は、以下のものを提供する。
１．現場のオペレーターがｉＰｈｏｎｅ（登録商標）／ｉＰａｄ（登録商標）／Ａｎｄｒｏｉｄなどのモバイル用のコンピューター設備を介して、リスク管理文書を完成させるための能力。これには、開始前（プレスタート）のチェックリスト、ジョブ安全評価（ＪＳＡ）、テイク５、許可などが含まれる。
２．以下のものについてアクセスおよび評価すること
ａ）担当者の資格
ｂ）物質の安全およびデータシート（一般に「ＭＳＤＳ」）
ｃ）ログブック
ｄ）設備のリスク評価
ｅ）ジョブの方法の記述／ノート／写真など
ｆ）会社の手順
ｇ）会社のリスク警告
３．以下のように現場のオペレーターを従事させるツール
ａ）様々な作業について予め設定されているリスクおよび制御のリストを考慮するようにユーザーに促す。ユーザーは、他のリスクや制御を追加することもできる
ｂ）ユーザーが、リスクおよび制御を単に選択することを可能にする
ｃ）残存リスクを即座に評価する
ｄ）各アップロードに対して「スコア」を提供する
ｉ）勤務評価および報酬に関連する従業員スコアの記録を保持する
ｉｉ）全社のリーダーの掲示板を生成する
ｅ）毎月の（たとえば、危険にスポットを当てた）競争およびリスク改善案についての（金銭的な利益を伴う）オンラインフォーラムを提供する
４．リスク情報の適時性と正確性の改善
ａ）各アクセス／アップロードの時間および場所を追跡するＧＰＳ
ｂ）現場のオペレーターが、制御が実施される前に作業を開始することを防止すること（たとえば、開始前のタイムスタンプは、設備の移動のタイムスタンプより前でなければならない）
ｃ）ＧＰＳおよびタイムスタンプのデータと、インシデント調査、コンプライアンス監査、顧客の請求書との相互参照を行うこと
５．リアルタイムの健康および安全のデータのデータベースを生成する能力
６．ユーザーが、データの統計分析および他の分析を完了させて、安全および環境インシデントの「先行指標」（インシデント「ホットスポット」と呼ばれる）を探すことを可能にすること。
【００１０】
本発明の一態様によれば、
プロセッサー、メモリー、ネットワークインターフェースおよびタッチ表示画面を含むコンピューター上のリスク管理のための情報を提供する方法が開示され、当該方法は、プロセッサーにおいて、ネットワークインターフェースを介して、許可を識別する第１の情報、計画を識別する第２の情報、リスク評価を識別する第３の情報、および設備を識別する第４の情報を受信するステップと、
タッチ表示画面上に、許可を識別する第１の情報、計画を識別する第２の情報、リスク評価を識別する第３の情報、および設備を識別する第４の情報を表示するステップと、
表示された許可を識別する第１の情報、計画を識別する第２の情報、リスク評価を識別する第３の情報、および設備を識別する第４の情報の近位のタッチ表示画面上のタッチによってそれぞれ許可、計画、リスク評価、および設備に関するデータへのアクセスを提供するステップと、
表示されたリスク評価を識別する第３の情報の近位のタッチ信号を受信すると、ジョブ安全評価識別子を識別する１つ以上の第５の情報を表示するステップと、
表示されたジョブ安全評価識別子を識別する１つ以上の第５の情報の近位のタッチ表示画面上のタッチ信号を受信すると、特定のジョブ安全評価識別子について関連する許可、計画および設備に関するデータへのアクセスを提供するステップとを含む。
【００１１】
また、プロセッサー、メモリー、ネットワークインターフェース、およびタッチ表示画面を含むコンピューター上で実行されるリスク管理のための情報を提供する方法およびシステムが開示され、当該方法は、
処理期間を特定する情報を示すアイコンを表示するステップと、
表示されたアイコンの近位のタッチ表示画面上のタッチ信号を受信すると、ログクエリを識別する１つ以上の情報を受信してタッチ表示画面上に表示するステップと、
ログクエリを識別する１つ以上の表示された情報の近位のタッチ信号を受信すると、受信されたタッチ信号に関連する１つ以上のデータをリモートサーバーに送信するステップと、
リモートサーバーがログ形式を有する文書にログクエリを識別する１つ以上の表示された情報の近位の受信されたタッチ信号に関連する１つ以上のデータを自動生成する処理を提供するステップと、
ログ形式の文書を格納するステップとを含む。
【００１２】
また、プロセッサー、メモリー、ネットワークインターフェース、およびタッチ表示画面を含むコンピューター上で実行されるリスク管理のための情報を提供する方法およびシステムが開示され、当該方法は、
プロセッサーにおいて、ネットワークインターフェースを介して、許可を識別する情報を受信するステップと、
タッチ表示画面上に、許可を識別する情報を表示するステップと、
許可を識別する表示された情報の近位のタッチ信号を受信するステップと、
許可を識別する情報の近位のタッチ表示画面上のタッチ信号を受信すると、特定の許可を識別する１つ以上の情報を受信してタッチ表示画面に表示するステップとを含み、特定の許可を識別する情報は、許可が有効であるか否かまたは許可が失効しているか否かを示す表示を含む。
【００１３】
また、開示される方法およびシステムは、ＧＰＳ追跡を含み、
離れた場所において、ＧＰＳを介してコンピューターの位置を追跡するステップと、
離れた場所において、コンピューターの位置におけるジョブに関連する許可が失効したか否かを処理するステップと、
コンピューターの位置に関連する許可が失効した場合、コンピューターへの配信のための通知を送信するステップとを含む。
【００１４】
本発明の他の実施形態によれば、ポータブル装置を所有している人物によって実行されるジョブを選択するステップと、
ジョブに関連する情報であって、ジョブのために必要な許可、ジョブの実行のための計画、ジョブに関連するリスク、ジョブに関連して使用される設備を有する情報をポータブル装置にダウンロードするステップと、
ジョブに必要とされる許可に関する情報、ジョブの実行の計画に関する情報、ジョブに関連するリスクに関する情報、ジョブに関して使用される設備に関する情報それぞれの一つの選択のための対応する表示を表示するステップと、
表示のうちの１つの選択を受信するステップと、
受信した選択に従ってダウンロードされた情報の少なくとも一部を表示するステップと、
人物によるジョブの実行に関して表示された情報の使用に関連するポータブル装置への入力を受信するステップと、
人物によるジョブの実行に関する表示された情報の使用の記録を記憶できるように入力をアップロードするステップと、
を含む方法が開示される。
【００１５】
本発明の他の態様によれば、
ポータブル装置を所有している人物によって実行されるジョブを選択するステップと、
ジョブに関連する情報であって、ジョブのために必要な許可、ジョブの実行のための計画、ジョブに関連するリスク、ジョブに関連して使用される設備を有する情報をポータブル装置にダウンロードするステップと、
ジョブに必要とされる許可に関する情報、ジョブの実行の計画に関する情報、ジョブに関連するリスクに関する情報、ジョブに関して使用される設備に関する情報それぞれの一つの選択のための対応する表示を表示するステップと、
表示のうちの１つの選択を受信するステップと、
受信した選択に従ってダウンロードされた情報の少なくとも一部を表示するステップと、
人物によるジョブの実行に関して表示された情報の使用に関連するポータブル装置への入力を受信するステップと、
人物によるジョブの実行に関する表示された情報の使用の記録を記憶できるように入力をアップロードするステップと、
を実行するように構成されるプロセッサーを有するポータブル装置が開示される。
【００１６】
一実施形態では、ジョブの選択は、ジョブの種類の選択を含む。ジョブの種類は、ジョブの種類に応じて、利用可能な情報のライブラリーからダウンロードされる情報を予め選択している。
【００１７】
一実施形態では、情報は、ジョブの種類のジョブが実行されるときに完成される書式からの情報を含み、入力は、ジョブの種類のジョブが実行されようとするときまたは完了したときに書式上で完成される情報である。
【００１８】
一実施形態では、情報は、表示された情報について受信された入力に従ってジョブを実行することが許可されているか否かをユーザーに示すようにポータブル装置によって実行されうる１つ以上のチェックを含む。このように、たとえば、特定のジョブについて全ての安全確認が行われ、安全確認が設備に入力されて確認されるまで、人物はジョブを実行することが許可されない。また、入力のアップロードは、コンプライアンスの監視を可能にする。
【００１９】
本発明の他の態様によれば、
ポータブル装置を所有している人物によって実行されるジョブを選択し
ジョブに関連する情報であって、ジョブのために必要な許可、ジョブの実行のための計画、ジョブに関連するリスク、ジョブに関連して使用される設備を有する情報をポータブル装置にダウンロードし、
ジョブに必要とされる許可に関する情報、ジョブの実行の計画に関する情報、ジョブに関連するリスクに関する情報、ジョブに関して使用される設備に関する情報それぞれの一つの選択のための対応する表示を表示し、
表示のうちの１つの選択を受信し、
受信した選択に従ってダウンロードされた情報の少なくとも一部を表示し、
人物によるジョブの実行に関して表示された情報の使用に関連するポータブル装置への入力を受信し、
人物によるジョブの実行に関する表示された情報の使用の記録を記憶できるように入力をアップロードするように構成されるプロセッサーを有するシステムが開示される。
【００２０】
一実施形態では、システムは、ジョブによって階層的に構造化されたデータベースを含み、各ジョブ内には、ジョブの実行のための組織構造およびジョブの実行のためのタスク構造に関するフィールドが存在する。一実施形態では、組織構造は、手順、リスク限度、担当者、化学物質、設備およびリストに関する情報の１つ以上を含む。一実施形態では、リストは、方法のステップ、タスク、リスクおよび制御のうちの１つ以上を含む。一実施形態では、ジョブ構造は、ジョブの詳細、クライアントの詳細、ジョブの役割、計画／仕様、およびリスク警告のうちの１つ以上を含む。
【００２１】
一実施形態では、データベースは、通信の記録をさらに含む。一実施形態では、通信は、会議、報告、完成された書式および警告のうちの一つ以上をさらに含む。一実施形態では、完成された書式は、許可、計画、設備およびリスク評価のうちの一つ以上を含む。
【００２２】
一実施形態では、データベースは、関係者がデータベースを生成、編集、およびデータベースにアクセスするための許可をさらに含む。一実施形態では、許可は、関係者が本社担当者、プロジェクトマネージャー、現場監督または現場担当者であるかどうかに応じて設定される。一実施形態では、いくつかの許可は、許可は、関係者が、許可に関連して作業する許可の発行者、許可の保有者、現場担当者であるか、本社担当者、プロジェクトマネージャー、現場監督であるかによって設定される。
【００２３】
一実施形態において、現場担当者は、モバイルアプリケーションを介して本発明にアクセスする。一実施形態では、現場監督は、モバイルアプリケーションを介して本発明にアクセスする。一実施形態では、プロジェクトマネージャーは、モバイルアプリケーションまたはパーソナルコンピューターを介して本発明にアクセスする。一実施形態では、本社担当者は、パーソナルコンピューターを介して本発明にアクセスする。
【００２４】
一実施形態では、プロジェクトマネージャーは、ジョブの要求を達成するために、計画を決めて割り当てるための許可を有する。一実施形態では、全ての関係者が、計画を閲覧できる。
【００２５】
一実施形態では、特定の関係者（適切な資格を有する）は、許可を生成し、当該許可の下で作業を行うことを現場の担当者に許可するための許可を有する。一実施形態では、特定の関係者は、許可を保持する資格があり、許可の条件を満たす責任がある許可の保持者を割り当てるための許可を有する。一実施形態では、現場監督は、自身に責任がある現場に関して発行された許可を見るための許可を有する。一実施形態では、特定の関係者は、他の許可の発行者と許可を共有できる。一実施形態では、許可の保有者は、自身に割り当てられた許可を見て承諾するための許可を有する。一実施形態では、現場の担当者は、許可の下で作業を見て承諾する許可を有する。一実施形態では、許可の保持者は、移転が承諾された場合、資格のある他の許可の保持者に許可を移転するための許可を有する。一実施形態では、許可の保持者は、許可の下で作業を行う他の担当者を追加するための許可を有する。
【００２６】
一実施形態では、現場監督、および、場合によってはプロジェクトマネージャーは、ジョブ安全評価（ＪＳＡ）を生成するための許可を有する。一実施形態では、現場の担当者は、ＪＳＡへの変更を承諾または提案するための許可を有する。
【００２７】
一実施形態では、現場の担当者は、開始前のチェックリストを完成させるための許可を有する。一実施形態では、チェックリストが規定される。一実施形態では、現場の担当者は、他の人の開始前のチェックリストを見るための許可を有しない。一実施形態では、現場監督およびプロジェクトマネージャーは、開始前のチェックリストにアクセスできる。
【００２８】
開始前のチェックリストが上手く完成していない実施形態では、システムは、失敗したチェックリストに関する警告を発生させるように構成される。
【００２９】
一実施形態では、現場の担当者は、迅速なリスク評価を生成するための許可を有する。一実施形態では、現場の担当者は、他の人の迅速なリスク評価を見るための許可を有しない。一実施形態では、現場監督およびプロジェクトマネージャーは、迅速なリスク評価にアクセスできる。
【００３０】
迅速なリスク評価が上手く完成していない実施形態では、システムは、失敗した迅速なリスク評価に関して警告を発生させるように構成される。
【００３１】
一実施形態では、本社の社員は、登録簿を生成するための許可を有する。一実施形態では、他の関係者は、登録簿を見るための許可を有する。
【００３２】
一実施形態では、本社の社員およびプロジェクトマネージャーは、ジョブに関する全ての関係者に対して警告を発生させるための許可を有する。
【００３３】
一実施形態では、本社の社員は、ハザード報告またはインシデント報告を生成するための許可を有する。一実施形態では、プロジェクトマネージャー、現場監督および本社の社員は、報告にアクセスするための許可を有する。
【００３４】
一実施形態では、システムは、ホーム画面上での選択のために、ポータブル装置上に４つの主要なアイコンを表示するように構成され、当該アイコンは、許可、計画、設備またはリスク評価をそれぞれ示す。一実施形態では、情報の閲覧、およびこれらのうちの一つに関する情報の入力は、階層的に表示または受信される。一実施形態では、これらの種類の情報に関する一つ以上の書式を完成させるために、これらの見出しの下にメニューオプションが示され、ある画面から次の画面への連続的な進行が行われる。
【００３５】
一実施形態では、システムは、通信ツールへのアクセスを可能にする通信アイコンをホーム画面上に提供するように構成される。一実施形態では、通信アイコンは、通信が関係者の注意をいつ必要としているかも示す。
【００３６】
一実施形態では、ポータブル装置は、ネットワーク通信が切断された後に再構築された場合、データをシステムデータベースに同期させるように構成される。
【００３７】
一実施形態では、ポータブル装置は、検索可能および拡張可能な情報のリストによって構成される。
【００３８】
一実施形態では、システムは、入力されたデータをログに記録し、次いで、書式の完成をタスクの開始および完了と一致させて、安全のプロトコルの遵守を保証するように構成される。一実施形態では、ログは、タイムスタンプを含む。一実施形態では、ログは、位置記録を含む。一実施形態では、ログは、バーコードスキャンまたはベアフィールド装置スキャンを含む他の入力を含む。
【００３９】
一実施形態では、システムは、許可または計画または他の要件のうちの１つ以上の有効期間をテストし、現在時間が有効期間内でない場合に警告を生成するように構成される。
【００４０】
一実施形態では、システムは、許可または計画または他の要件のうちの１つ以上の有効な地域の適用可能性をテストし、それぞれの許可、計画またはその他の要件を要求する動作が開始されるときに現在の場所が有効な地域内でない場合に警告を生成するように構成される。
【００４１】
一実施形態では、システムは、許可が発行される予定の関係者の記録に対する許可の発行の要件をチェックするように構成され、要件が満たされない場合には、要件が満たされていない旨の警告を発するように構成される。一実施形態では、システムは、許可の要件が満たされない場合、許可を発行できないように構成される。
【００４２】
一実施形態では、システムは、ＪＳＡが生成されているアクティビティにおける方法のステップの選択を受信すること、選択された方法のステップに適用可能なリスクの選択を受信すること、選択されたリスクを緩和するための制御を受信すること、選択されたリスクの各々についてリスク格付けの選択を受信すること、ＪＳＡが適用される１人以上の担当者の選択を受信することによってＪＳＡを生成するように構成される。
【００４３】
一実施形態では、方法のステップは、所定の方法のステップのリストから選択できてもよい。一実施形態では、リスクは、所定のリスクのリストから選択できてもよい。一実施形態では、制御は、所定の制御のリストから選択できてもよい。一実施形態では、リスク格付けは、所定のリスク格付けマトリックスから選択できてもよい。一実施形態では、担当者は、ＪＳＡが生成されているジョブに割り当てられた所定の担当者リストから選択されてもよい。
【００４４】
一実施形態では、選択された担当者の各々には、ＪＳＡの承認を要求するメッセージが送信される。
【００４５】
一実施形態では、システムは、実行されるタスクの選択を受信し、選択されたタスクに適用可能な可能性のあるリスクの選択を受信し、選択された可能性のあるリスクを緩和するための制御の選択を受信することによってリスク評価を生成するように構成される。
【００４６】
一実施形態では、タスクは、所定のタスクのリストから選択されてもよい。一実施形態では、可能性のあるリスクは、所定の可能性のあるリスクのリストから選択されてもよい。一実施形態では、制御は、所定の制御のリストから選択されてもよい。
【００４７】
一実施形態では、システムは、設備のアイテムの使用前に実行されるチェック（プレスタート）に関する情報を表示し、チェックされる設備のアイテムの各部分のチェックボックスを提供し、部分がチェックされたときに選択を受信し、チェックリストが正常に完了するまでアイテムが使用不能であるというメッセージを表示するように構成される。一実施形態では、チェックリスト内のアイテムがプレスタートのチェックの失敗として選択された場合、システムは警告を生成するように構成される。一実施形態では、設備のアイテムは、修理または交換されるまで、データベースにおいて故障中としてフラグが設定される。
【００４８】
一実施形態では、プレスタートは、バーコードスキャン、シリアル番号の入力を含む手段によって設備のアイテムを識別する。
【００４９】
一実施形態では、システムは、検査される設備もしくは部分のアイテムに関する情報、または部分の検査方法を表示するように構成される。
【００５０】
一実施形態では、ジョブへの割り当ては、モバイル装置を有しているどの関係者が存在すべきでないかまたは進入すべきでないかに関してデータベースから情報を検索することによってジオフェンスの生成の契機となり、モバイル装置はジオフェンスに対する位置を確認し、ジオフェンスと交差したときに警告を生成する。
【００５１】
本発明の他の態様によれば、
ポータブル装置への通信チャネルと、
ポータブル装置を所有する人物によって実行されるジョブの選択を受信するように構成されるプロセッサーと、
ここで、プロセッサーは、選択されたジョブに関する情報を検索してポータブル装置に送信するように構成され、情報は、ジョブに必要な許可、ジョブの実行のための計画、ジョブに関連するリスク、ジョブに関して使用される設備を含み、
情報は、ポータブル装置において適切に表示され、
ここで、通信チャネルは、人物によるジョブの実行に関する表示された情報の使用に関連してポータブル装置によって受信された入力をポータブル装置から受信するように構成され、
人物によるジョブの実行に関連する表示された情報の使用の記録を記憶するためのストレージと、
を有するシステムが開示される。
【図面の簡単な説明】
【００５２】
【図１】ホーム画面の一実施形態を示すフローチャートであり、システムおよび方法において四つの異なる機能がシステムおよび方法においてどこに繋がるかを示す図である。
【図２】開示されたシステムおよび方法の実施形態を示すフローチャートである。
【図３】開示されたシステムおよび方法の実施形態を示すフローチャートである。
【図４】開示されたシステムおよび方法の実施形態を示すフローチャートである。
【図５】開示されたシステムおよび方法の実施形態を示すフローチャートである。
【図６】開示されたシステムおよび方法の実施形態を示すフローチャートである。
【図７】開示されたシステムおよび方法の実施形態を示すフローチャートである。
【図８】開示されたシステムおよび方法の実施形態を示すフローチャートである。
【図９】開示されたシステムおよび方法の実施形態を示すフローチャートである。
【図１０】開示されたシステムおよび方法の実施形態を示すフローチャートである。
【図１１】開示されたシステムおよび方法の実施形態を示すフローチャートである。
【図１２】開示されたシステムおよび方法の実施形態を示すフローチャートである。
【図１３】開示されたシステムおよび方法の実施形態を示すフローチャートである。
【図１４】関係者の間の書類の流れの実施形態を示す図である。
【図１５】図１の例に示されたメインページ、許可ページ、評価ページおよび設備ページのスクリーンショットを示す図である。
【図１６】図１の例に示されたメインページ、許可ページ、評価ページおよび設備ページのスクリーンショットを示す図である。
【図１７】図１の例に示されたメインページ、許可ページ、評価ページおよび設備ページのスクリーンショットを示す図である。
【図１８】図１の例に示されたメインページ、許可ページ、評価ページおよび設備ページのスクリーンショットを示す図である。
【図１９】図１の例に示されたメインページ、許可ページ、評価ページおよび設備ページのスクリーンショットを示す図である。
【図２０】図１の例に示されたメインページ、許可ページ、評価ページおよび設備ページのスクリーンショットを示す図である。
【図２１】図１の例に示されたメインページ、許可ページ、評価ページおよび設備ページのスクリーンショットを示す図である。
【図２２】図１の例に示されたメインページ、許可ページ、評価ページおよび設備ページのスクリーンショットを示す図である。
【図２３】図１の例に示されたメインページ、許可ページ、評価ページおよび設備ページのスクリーンショットを示す図である。
【図２４】図１の例に示されたメインページ、許可ページ、評価ページおよび設備ページのスクリーンショットを示す図である。
【図２５】図１の例に示されたメインページ、許可ページ、評価ページおよび設備ページのスクリーンショットを示す図である。
【図２６】図１の例に示されたメインページ、許可ページ、評価ページおよび設備ページのスクリーンショットを示す図である。
【図２７】図１の例に示されたメインページ、許可ページ、評価ページおよび設備ページのスクリーンショットを示す図である。
【図２８】図１の例に示されたメインページ、許可ページ、評価ページおよび設備ページのスクリーンショットを示す図である。
【図２９】図１の例に示されたメインページ、許可ページ、評価ページおよび設備ページのスクリーンショットを示す図である。
【図３０】図１の例に示されたメインページ、許可ページ、評価ページおよび設備ページのスクリーンショットを示す図である。
【図３１】図１の例に示されたメインページ、許可ページ、評価ページおよび設備ページのスクリーンショットを示す図である。
【図３２】図１の例に示されたメインページ、許可ページ、評価ページおよび設備ページのスクリーンショットを示す図である。
【図３３】図１の例に示されたメインページ、許可ページ、評価ページおよび設備ページのスクリーンショットを示す図である。
【図３４】図１の例に示されたメインページ、許可ページ、評価ページおよび設備ページのスクリーンショットを示す図である。
【図３５】図１の例に示されたメインページ、許可ページ、評価ページおよび設備ページのスクリーンショットを示す図である。
【図３６】図１の例に示されたメインページ、許可ページ、評価ページおよび設備ページのスクリーンショットを示す図である。
【図３７】図１の例に示されたメインページ、許可ページ、評価ページおよび設備ページのスクリーンショットを示す図である。
【図３８】図１の例に示されたメインページ、許可ページ、評価ページおよび設備ページのスクリーンショットを示す図である。
【図３９】図１の例に示されたメインページ、許可ページ、評価ページおよび設備ページのスクリーンショットを示す図である。
【図４０】図１の例に示されたメインページ、許可ページ、評価ページおよび設備ページのスクリーンショットを示す図である。
【図４１】図１の例に示されたメインページ、許可ページ、評価ページおよび設備ページのスクリーンショットを示す図である。
【図４２】図１の例に示されたメインページ、許可ページ、評価ページおよび設備ページのスクリーンショットを示す図である。
【図４３】図１の例に示されたメインページ、許可ページ、評価ページおよび設備ページのスクリーンショットを示す図である。
【図４４】図１の例に示されたメインページ、許可ページ、評価ページおよび設備ページのスクリーンショットを示す図である。
【図４５】図１の例に示されたメインページ、許可ページ、評価ページおよび設備ページのスクリーンショットを示す図である。
【図４６】図１の例に示されたメインページ、許可ページ、評価ページおよび設備ページのスクリーンショットを示す図である。
【図４７】図１の例に示されたメインページ、許可ページ、評価ページおよび設備ページのスクリーンショットを示す図である。
【図４８】図１の例に示されたメインページ、許可ページ、評価ページおよび設備ページのスクリーンショットを示す図である。
【図４９】図１の例に示されたメインページ、許可ページ、評価ページおよび設備ページのスクリーンショットを示す図である。
【図５０】図１の例に示されたメインページ、許可ページ、評価ページおよび設備ページのスクリーンショットを示す図である。
【図５１】図１の例に示されたメインページ、許可ページ、評価ページおよび設備ページのスクリーンショットを示す図である。
【図５２】図１の例に示されたメインページ、許可ページ、評価ページおよび設備ページのスクリーンショットを示す図である。
【図５３】図１の例に示されたメインページ、許可ページ、評価ページおよび設備ページのスクリーンショットを示す図である。
【図５４】図１の例に示されたメインページ、許可ページ、評価ページおよび設備ページのスクリーンショットを示す図である。
【図５５】図１の例に示されたメインページ、許可ページ、評価ページおよび設備ページのスクリーンショットを示す図である。
【図５６】図１の例に示されたメインページ、許可ページ、評価ページおよび設備ページのスクリーンショットを示す図である。
【図５７】本発明の一実施形態に係るシステムの概略ブロック図である。
【図５８】本発明の一実施形態に係るポータブル装置の概略ブロック図である。
【図５９】本発明の一実施形態に係るデータベースの相関図である。
【発明を実施するための形態】
【００５３】
本開示は、本発明に係る様々な実施形態を作り出し、使用する最良の形態を可能な方法で説明するために提供される。本開示はさらに、本発明を如何なる方法で限定するものではなく、本発明の原理および利点についての理解および認識を高めるために提供される。本発明の好ましい実施形態は、本明細書において図示され説明されているが、本発明がそのように限定されないことは明らかである。添付した特許請求の範囲によって定められる本発明の思想および範囲から逸脱することなく、本開示の利益を受ける当業者には、数多くの修正、変更、変形、置換および同等物が思い浮かぶであろう。
【００５４】
第１および第２、上下などのような関係語の使用は、単に他の対象または動作と互いに区別するために使用され、そのような対象または動作の間におけるそのような実際の関係または順序を必ずしも要求または暗示することがないということが理解される。
【００５５】
発明の機能の多くおよび発明の原理の多くは、ソフトウェアプログラムまたは命令および特定用途向けＩＣなどの集積回路（ＩＣ）を用いて、またはそれらにおいて最もよく実行される。簡潔にするため、および本発明に係る原理および概念を不明瞭にするリスクの最小化のため、そのようなソフトウェアおよびＩＣの考察がある場合には、好ましい実施形態における原理および概念に関する本質的要素に限定される。
【００５６】
現場におけるリスク管理のための情報を提供および受信する方法およびシステムが開示され、より詳細には、許可、計画、リスク評価および設備の情報、自動入力文書にアクセスし、許可の可用性および位置に基づく通知を受信する方法およびシステムが開示される。上述したように、開示されたシステムおよび方法は、現場ベースの担当者が自身の業務に関連するリスクを管理することを可能にする。コンプライアンスの監視が、（たとえば、ＧＰＳおよび時間追跡動作によって）改善される。
【００５７】
現場のオペレーターのための他のツールは、以下のものを提供する全体的な構造およびナビゲーション方法によって提供される。
ａ）リスク制御の効果的な選択および実施
ｂ）たとえばログを自動入力することによる、リスク書類の生成の適時かつ効率的な完成
以下の開示された構造ならびにナビゲーションシステムおよび方法は、ナビゲーション、自動入力、許可および計画の状況に関する警告、設備の開始前の視覚的な手がかり、データベースタップ、リアルタイム自動警告、設備の多用の確認、設備のタグ付け自動リマインダーおよびペイント色の置換のための処理を含む。
【００５８】
アクション（合意や署名など）を必要とする各文書は、ユーザーがアクションを実行できるようにするためのアクションボタンを有する。実行されるアクションは、文書の状態、文書およびジョブに関してユーザーが有する役割に応じて適合される。アクションが実行されると、アクションの前に文書のコピーが保存され、新しい文書が生成される。他の要件が保留されている間は、文書をロックできる。例えば、許可がある保有者からある保有者に移動される場合、現場担当者は許可を受け入れることも許可をクローズすることもできない。
【００５９】
使用される用語の定義は、組み込まれた参照と共に提供される。たとえば、リスクが選択され、定義および他の情報が説明される。
【００６０】
一実施形態では、本発明のツールは、スマートフォンなどのモバイルコンピューター設備上で動作するアプリケーションを介して提供される。スマートフォンは、プロセッサー、メモリー、タッチ画面の形態における入力装置でもあるディスプレー画面、およびネットワーク通信装置を備えるモバイルコンピューター設備であることが知られている。典型的には、スマートフォンには、メモリーに記憶され、プロセッサーによって実行されるとアプリケーションを形成するコンピュータプログラムがロードされる。他の言い方をすれば、コンピュータプログラムは、本発明の一態様に係るシステムとしてのポータブル装置を構成するように、プロセッサーを制御するための命令を含む。コンピュータプログラムの命令が実行されると、ポータブル装置は、本発明の他の態様に係る方法を実行する。
【００６１】
本発明は、多くの方法によって実施されうることが理解される。本発明を実施する一つの方法は、以下に説明する実施形態による。
【００６２】
一実施形態では、ツールの一態様は、限定的でなく、ラップトップまたはデスクトップパーソナルコンピューターなどの、より一般的なコンピューティング装置上で提供される。パーソナルコンピューターという用語は、ポータブルコンピューティング装置上に実装できるものとして限定することを意図するものではないが、オフィス環境で使用される場合には、サイズ、重量および携帯性がより一般的に限定されない。後述するように、本発明のいくつかの態様は現場で実装する必要はない。そのような実装は、パーソナルコンピューターにインストールされたソフトウェアによって提供することができ、またはパーソナルコンピューターにインストールされたブラウザを介して、パーソナルコンピューターからアクセス可能な遠隔地にあるソフトウェアによって実装できる。このような実装は、一般に、サービスモデルとしてのソフトウェア（ＳａａＳ）または「クラウド」内のソフトウェアと称される。
【００６３】
図５７を参照すると、本発明の一実施形態によるシステム１０００が示されており、システム１０００は、プロセッサー１００２、データベース１００４、メモリー／ストレージ１００８、（インターネットなどの）コンピュータネットワーク１０１２に接続されたネットワークインターフェース１０１０を備える。ネットワーク１０１２は、複数のモバイルコンピューター装置１０２０、１０２２および１０２４に接続する携帯電話ネットワーク１０１４（または他のワイヤレスネットワーク）を含む。また、ネットワーク１０１２は、パーソナルコンピューター１０３０に接続する。
【００６４】
プロセッサー１００２上では、モバイルユーザーアプリケーションインターフェース１０４０およびバッキングユーザーアプリケーション１０４２が実行される。モバイルユーザーアプリケーションインターフェース１０４０は、ネットワークインターフェース１０１０、ネットワーク１０１２および１０１４を介して、通信チャネル１０５２によって、ポータブル装置１０２０、１０２２および１０２４と連結する。通信チャネルは、携帯電話ネットワーク１０１４への通信１０５４と、基地局とポータブル装置１０２０、１０２２および１０２４との間の無線通信１０５６とを含む。バックエンドユーザーアプリケーション１０４２は、ネットワーク１０１２を介して、パーソナルコンピューター１０３０への通信チャネル１０５０を有する。
【００６５】
パーソナルコンピューター１０３０は、オフサイト担当者に本発明へのアクセスを与える。一方、モバイルユーザーアプリケーションインターフェース１０４０は、パーソナル装置１０２０、１０２２および１０２４のオンサイトユーザーに本発明へのアクセスを与える。モバイルユーザーアプリケーション１０４０は、通信チャネル１０５６によってバックエンドユーザーアプリケーション１４２と交信し、情報を交換できる。
【００６６】
図５８を参照すると、各パーソナルコンピューター設備１０２０、１０２２および１０２４は、構成要素１１００を備える。これらの構成要素１１００は、プロセッサー１１０２、メモリー／ストレージ１１０４、ネットワークインターフェース１１０６、典型的には要素１１０８および１１１０を組み合わせたタッチ画面である画面１１１０およびタッチ入力１１０８を備える。
【００６７】
プロセッサー１１０２上では、ネットワークインターフェース１１０６およびアンテナ１１１２によって、無線通信１１３４による携帯電話ネットワークと通信するモバイルユーザーアプリケーション１１２０が実行される。携帯電話ネットワークの代わりに、Ｗｉ−Ｆｉネットワークまたは他の無線ネットワークが使用されてもよい。モバイルユーザーアプリケーションインターフェース１０４０は、通信チャネル１１３０によって、モバイルユーザーアプリケーション１１２０と通信できる。モバイルユーザーアプリケーション１１２０は、通信チャネル１１３２を介して、データを記憶できる。
【００６８】
一実施形態では、データベース１００４は、図５９に示すように構成され、ジョブライブラリー１２１０の形態である。ジョブライブラリー１２１０は、組織データベース１２１２およびジョブデータベース１２１４を含む。組織データベース１２１２は、手順１２２０、リスク制限１２２２、担当者１２２４、化学物質１２２６および設備１２２８を含む。また、組織データベース１２１２は、たとえば、方法ステップ、タスク、リスクおよび制御などのリスト１２３０も含む。ジョブデータベース１２１４は、ジョブの詳細１２４０、クライアントの詳細１２４２、ジョブの役割１２４４、計画／仕様１２４６およびリスク警告１２４８を含む。また、ジョブライブラリー１２１０は、会議および報告、許可、計画、設備およびリスク評価を含む完成された書類１２０８を含む、記憶された通信１２７０を含む。ジョブライブラリー１２１０は、生成することによって、プロジェクトマネージャー、現場監督および現場オペレーターを含む関係者による質問（ｑｕｅｒｙ）１２６０を生成することによって、閲覧されうる。
【００６９】
図１４を参照すると、本発明は、本発明を使用する関係者によるリスク評価の表示を容易にし、これらの関係者は、本社担当者１３０２、プロジェクトマネージャー１３０４、現場監督１３０６および現場オペレーター１３０８を含む。図１４は、これらの関係者が情報を伝達し、リスク評価を提供できるスキーマ１３００を示す。スキーマ１３００は、これらの関係者が割り当てられたジョブのコンテキストにおいて提供される。このジョブには、１人以上の本社担当者１３０２、１人以上のプロジェクトマネージャー１３０４、１人以上の現場監督１３０６、および１人以上の現場オペレーター１３０８が割り当てられる。
【００７０】
プロジェクトマネージャー１３０２は、パーソナルコンピューター１０３０またはポータブル装置１０２０〜１０２４のうちの１つを使用して、ジョブ要件を達成するための計画１３２０を定義および割り当てることができる。既知の種類のジョブについては、特定のジョブ要件に合わせて調整できるが、その種類のジョブのそれぞれの間で計画が比較的一貫しうる。また、ジョブ要件に応じて個別に計画を立てることもできる。指定された場合、計画はその特定のジョブについてデータベース１００４にロードされ、そのジョブに割り当てられた全ての関係者によってアクセスされうる。
【００７１】
本社担当者１３０２は、どの現場監督がどの許可を発行することが承認されているかを指定できる。承認された現場監督は、許可１３４０を生成できる。いくつかの許可は、プロジェクトマネージャーまたは特定の許可の発行者による承認を必要とする。許可１３４０に変更が生じた場合、プロジェクトマネージャー１３０４に通知する必要がある。許可は、現場監督１３０６間で共有できる。ジョブの許可のように、いくつかの許可１３４０は、ジョブの終わりに更新（閉鎖）されなければならない。いくつかの許可１３４０は、条件が変化したときに更新されなければならない。許可１３４０は、プロジェクトマネージャー１３０４、現場監督１３０６および現場オペレーター１３０８と共有することができ、プロジェクトマネージャー１３０４、現場監督１３０６および現場オペレーター１３０８は許可を受け入れる必要がある。
【００７２】
現場監督１３０６は、ジョブ安全評価（ＪＳＡ）１３３０も生成できる。通常、ＪＳＡ１３３０は、現場で作業する全ての人、特に現場オペレーター１３０８によって受け入れられなければならない。ＪＳＡ１３３０は、現場で観察されたリスクを追加することを含め、更新されうる。ＪＳＡ１３３０が更新されると、それを受け入れた全ての担当者に更新情報が自動的に通知される。プロジェクトマネージャー１３０４は、ＪＳＡ１３３０のいかなる変更に対しても警告される。
【００７３】
プロジェクトマネージャー１３０４は、現場監督１３０６の全ての動作を実行できる。
【００７４】
１３０８は、開始前チェックリスト（プレスタート）１３４０を生成できる。現場オペレーター１３０８は、自分自身のプレスタート１３４０のみにアクセスでき、これにより、それらを個人に適合させうる。現場監督１３０６およびプロジェクトマネージャー１３０４は、指定されたジョブのプレスタート１３３４の全てにアクセスできる。危険度の高いタスクの場合、開始前に提供されたチェックリストに従って何かが適切でない場合、現場の他の担当者に自動的に問題が警告される。
【００７５】
現場オペレーター１３０８は、テイク５と呼ばれる自身の迅速なリスク評価を取得できる。テイク５は、一般に以下のことを含み、１）作業領域を観察し、潜在的な問題またはリスクに焦点を当て、２）実行されるタスクをレビューし、３）リスクを特定し、４）リスクを管理し、５）作業を実施し、完了した作業と作業領域を評価する。現場オペレーター１３０８は、自分のテイク５にアクセスできるが、他の現場オペレーター１３０８は他人のテイク５にアクセスできない。現場監督１３０８およびプロジェクトマネージャー１３０４は、指定されたジョブの全てのテイク５にアクセスできる。
【００７６】
現場監督１３０６は、現場オペレーター１３０８の全ての機能を実行できる。
【００７７】
本社担当者１３０２は、登録簿１３２４を生成できる。登録簿１３２４は、パーソナルコンピューター１０３０からメモリー１１０４にアップロードされ、モバイルユーザーアプリケーション１１２０を使用してアクセス可能である。本社担当者１３０２およびプロジェクトマネージャー１３０４は、登録簿１３２４内で何かが変更され場合、警告される。
【００７８】
本社は、警告１３２２を生成でき、これは現場担当者１３０８に重要な情報を通知する必要がある場合である。警告１３２２は、アプリ１１２０にプッシュされ、人の注意を引き、警告１３２２の詳細を把握するために調査されるようにすることができる。現場オペレーター１３０８は、ハザードまたは事故報告１３５０を生成することもでき、それらは、ハザードが観察されたか、または事故が発生したことを特定し、これは、本社担当者１３０２がアクセス可能なパーソナルコンピューター１０３０上に表示するために、モバイル装置１０２０〜１０２４からモバイルユーザーアプリケーション１０４０、バックエンドアプリケーション１０４２にプッシュされることによってモバイルアプリケーション１１２０から本社に共有される。
【００７９】
システム１０００および方法１３００は、許可の承認の送信、リスク評価および許可の承認のレビューのための送信、所有権の許可の送信および転送、登録簿および計画へのアクセスを可能にするための全員への送信、ＪＳＡ、登録簿、許可の文書の更新に関するテイク５、ＪＳＡおよびプレスタートおよび通知へのアクセスを可能にするためのプロジェクトマネージャーおよび現場監督への送信を許可し、警告の送信を許可する。
【００８０】
図１を参照すると、パーソナル装置１０２０〜１０２４のうちの１つに対するアプリケーション１１２０の動作が概略的に示される。５において開始し、フィールド従業員（プロジェクトマネージャー、現場監督または現場オペレーターを含む）はログインし、彼らの識別が認識される。さらに、ジョブに割り当てられてもよい。同時に複数のジョブにおいて作業している場合、このコンテキストにおいて作業しているジョブを選択できる。
【００８１】
ジョブの選択に応じて、アプリケーション１１２０を介してデータベース１００４内でアクセス可能な情報が、ジョブに具体的に適合される。
【００８２】
ジョブの種類にかかわらず、情報の表示は一貫する。異なる種類の情報を表す４つの主要なアイコンを含むホーム画面１２が示される。ホーム画面１２から、モバイルコンピューティング装置のユーザーは、主要アイコンによって表される多数のツールにたどり着ける。最初のアイコンは許可に関する情報（左上隅）を表す。右上隅の次のアイコンは、計画に関する情報を表す。右下にある次のアイコンは、設備に関する情報を表す。左下の最後のアイコンは、リスク評価に関する情報を表す。
【００８３】
これらのアイコンの１つを選択することにより、アプリケーションのユーザーは、それぞれ許可１４、計画１６、設備１８、またはリスク評価２０を表す画面に移動する。
【００８４】
これらの画面１４、１６、１８または２０のそれぞれにおいて、モバイル装置のオペレーターは、許可、計画、設備またはリスク評価に特に関連する情報を提示される。そこから、人は他の選択を行い、他の装置の画面２４および２６またはリスク評価画面２２のような他の画面に移動する。ユーザーは、設定画面３０において設定にアクセスできる。これは、ユーザーに関する情報を提供し、ユーザーはこのメニューにおいて設定を変更できる。
【００８５】
ホーム画面１２は、図１８においてより詳細に示される。それは、メッセージアイコンにおいてテキストメッセージが表示を待っているときに携帯電話が示すのと同じように、表示を待っているメッセージがある場合に、モバイル装置の現場担当者ユーザー（現場オペレーター１３０８または現場監督１３０６など）に警告する右上隅のメッセージアイコン３０を含む。許可４４、計画４６、リスク評価４８および設備４８のアイコンが示される。後述するように、他の有用な情報５０への他のアクセスのためのマイナーアイコンも存在する。
【００８６】
本発明のメニュー間のナビゲーションは階層的である。選択が行われると、ユーザーは入力または表示される情報から選択できる階層内の次のレベルのメニューに移動する。メニュー内のアイテムの選択は、タッチ画面が動作する通常の方法でそれぞれの領域に触れることによって実行できる。データを入力するには、画面をタッチしてチェックボックス／ラジオボタンを選択するか、タイプしてテキストボックスにテキストを入力するか、または音声からのテキスト入力を使用してテキストボックスに情報を入力する。
【００８７】
情報は、検索可能なリストと拡張可能なリストを使用して、方法のステップ、タスク、リスク、および制御を識別する手がかり（プロンプト）を提供することによって、ユーザーの記憶を促す方法で提示される。たとえば、酸に関連する多くのリスクがある。それらは、酸への暴露、酸の吸入、酸の流出、酸の嚥下などを含む。ユーザーには、酸をキーとするリスクが提示され、これらのリスクに関する情報にアクセスできる。ユーザーは、そのリスクのカテゴリーに関連するリスクのリストを見ることができ、一貫した階層的な方法で特定のリスクに関する情報を選択できる。
【００８８】
管理者は、バックエンド情報にアクセスして、テンプレートや検索されたリスクのリストの管理、許可発行承認者を含む担当者の追加、手続き、資格および物質安全性およびデータシート（ＭＳＤＳ）情報の使用の管理、グローバル警告の発行などのタスクを実行できる。
【００８９】
プロジェクトマネージャーは、デスクトップのフロントエンドにアクセスして、ジョブの格付け、ジョブへの担当者の割り当て、定義された権限内でのジョブの役割の設定、ジョブの計画の付加、ジョブの警告の発行（特定のジョブを行うまたはジョブの特定の側面に関する人々への警告）を含むタスクを実行できる。
【００９０】
ポータブルコンピューティング装置上で実行されるモバイルアプリケーションは、プロジェクトマネージャー、現場監督、現場担当者もアクセスできる。承認された場合の許可の転送、許可をテストしてクローズすることによる作業のホールド、ＪＳＡの生成、署名、更新、転送、クローズ、設備のテイク５、プレスタートリストの生成、設備の使用停止、会議を記録する警告および会議の記録の表示、報告の表示、機械の表示、ＭＳＤＳの表示、資格の表示、登録簿の表示、処理の間の計算機および安全思考のチャレンジの使用を含むタスクを実行できる。
【００９１】
ナビゲーション
Ａ）コミュニケーション活動（リスク警告、毎日の開始前会議、ウィークリーツールボックス会議、ハザードおよび事故報告、非遵守報告およびアイデアログを含む）は、モバイル装置の右上隅のアイコンからアクセスできる。重要なことは、このアイコンは位置が固定されたままであるため、インターフェース内のどの画面からでもアクセスできる。
【００９２】
Ｂ）図１のホーム画面１２に示されるリスクツールは、４つのメインアイコンのメインボタンの選択によって選択できる。この選択は、タッチ画面の隣接部分に接触する通常の方法で行われる。図１の実施形態では、画面は、本発明の主要な機能のそれぞれの画面１４，１６，１８または２０に移動する。
１．許可。このアイコンは、必要とされる可能性がある以下を含むがこれに限定されない全ての許可にユーザーを誘導する。
【００９３】
ａ．作業許可
ｂ．高所作業
ｃ．閉鎖空間進入
ｄ．高温作業
ｅ．アスベスト除去
ｆ．発掘
ｇ．侵入
ｈ．高速切断鋸
ｉ．高圧水噴射
ｊ．環境（植物または動物）
ｋ．植生クリアリング
ｌ．文化領域へのアクセス
ｍ．遺産建造物での作業
２．計画。このアイコンは、必要とされる可能性がある以下を含むがこれに限定されない全ての計画にユーザーを誘導する。
【００９４】
ａ．建設スケジュール
ｂ．メソッド文．
ｃ．掘削前のダイヤル（ＤＢＹＤ：Ｄｉａｌ  Ｂｅｆｏｒｅ  Ｙｏｕ  Ｄｉｇ）
ｄ．汚染現場
ｅ．環境（植物または動物）
ｆ．文化領域
ｇ．遺産建造物
ｈ．検査および試験計画
ｉ．バイパス計画
３．リスク評価。このアイコンは、必要とされる可能性がある以下を含むがこれに限定されない全てのリスク評価にユーザーを誘導する。
【００９５】
ａ．契約リスク評価
ｂ．ＪＳＡ
ｃ．タスク評価
ｄ．テイク５
４．設備。このアイコンは、必要とされる可能性がある以下を含むがこれに限定されない全ての設備文書にユーザーを誘導する。
【００９６】
ａ．設備リスク評価（設備の種類ごとの固有のテンプレートを含む）
ｂ．設備のプレスタート（設備の種類ごとの固有のテンプレートを含む）
ｃ．以下を含む設備登録簿
ｉ．資産登録簿
ｉｉ．電気的登録簿
ｉｉｉ．ポータブルはしご登録簿
ｉｖ．リフティングギア登録簿
ｖ．ハーネスおよび回復設備登録簿
ｄ．また、全ての登録簿は「使用不能タグ」機能を有する
Ｃ）図７６に示すように、使用頻度の低いリスクツールには、５つの補助リンクのうちの１つを介してアクセスできる。
【００９７】
１．化学物質またはＭＳＤＳ（化学物質登録簿および更新されたＭＳＤＳシートを入手する能力を含むＭＳＤＳシート）
２．計算機（現場で一般的に行われる計算のためのリアルタイム計算ツール）
３．トレーニング（自動有効期限警告による現在の資格へのアクセス）
４．緊急事態（ステップバイステップの緊急時および避難指示）
５．手続き（雇用者の既存手続のレビューのためのアクセス）
Ｄ）全てのリスク管理文書は、ジョブ番号に付加される。しかし、リスク管理文書は、特定のＪＳＡに付加して埋め込むこともできる。これにより、現場の従業員は、ＪＳＡを介してジョブに直接適用できる全てのリスク文書にアクセスできる。
【００９８】
自動生成
プロセス期間中のログ文書の自動生成は、現場担当者がテイク５（プロセス期間）およびログブック（ログ文書）を適時に完了することを保証することにより、現場リスク管理における課題を排除することを助ける。テイク５は、新しいタスクの開始前に完了する必要がある。各従業員の活動のログブックは、掘削機の操作、ドギング、クレーンの操作、長距離運転などの特定のリスクの高いタスクのために維持する必要がある。
【００９９】
開示されたシステムおよび方法は、テイク５のデータ入力および設備のプレスタートに基づいてログブックの自動生成を提供する。すなわち、テイク５のテンプレートは、ユーザーがログブックを維持すべき活動を行うかどうかを確認することをユーザーに要求する。ユーザーがテイク５のテンプレート内からこれらの活動の１つを選択すると、ポップアップボックスがユーザーから追加情報を取得し、この追加データを使用してユーザーの関連するログブックを自動生成する。
【０１００】
許可および計画のステータスの警告
異なる許可および計画は、異なる有効期間を有する。たとえば、数時間有効な許可および計画もあり、３０日以上有効な許可および計画もある。現場担当者の問題は、タイムリーかつ継続的で安全な作業の完了を保証するための許可および計画の更新または再発行である。開示されるシステムおよび方法は、以下を提供できる。
【０１０１】
ａ）期限切れまたは期限切れが近いＪＳＡに記載された許可および計画へのレッドクロスの適用
ｂ）ＧＰＳおよびタイムスタンプデータに基づく許可および計画の満了の自動警告
特定のジョブを遂行するために一定の資格、経験、または訓練が必要な特定の業務を行うための許可が発行される。許可には、許可の発行者、許可の保持者、許可に該当する他の担当者、許可の試験者、許可のクリアランス提供者などの役割が割り当てられてもよい。許可はまた、許可によってもたらされる責任、開始日時、終了日時および時間制限を有してもよい。許可の例としては、特定の作業現場での作業の許可、発掘の許可、アスベスト除去の許可、高温作業の実施の許可、閉鎖空間での作業の許可、高所での作業の許可、高電圧付近での作業の許可、高速切断鋸の使用の許可、高圧水噴射の使用の許可が含まれる。必要に応じて他の許可が提供されてもよい。
【０１０２】
許可メニュー１４は、図１６においてより詳細に示される。この画面は、画面見出し３８を含む。許可について、列挙された許可が適用可能なジョブを示す情報バー３２を画面見出し３８の下に含む。また、３４を選択することによってジョブを切り替えるオプションを含む。見出しは、ホーム画面１２に戻るための逆矢印３６も含む。メッセージの到着がこのレベルから確認できるようにメッセージアイコン３０も含む。
【０１０３】
この特定のジョブのための許可が列挙されており、この例では、そのジョブが下水道の取り替えである場合、許可は、高速切断鋸の操作６０、高所での作業の許可６２、現場での作業の許可６４、クラスＢの高圧水噴射の使用の許可６６、高温作業の実行の許可６８、掘削の許可７０、閉鎖空間での作業の許可７２である。作業の許可６４は、７４の近傍を押すことによって選択できる。図１７に示されるように、これはこの特定の許可についての情報をオープンする。図１７は、装置表示画面の種類のモバイルアプリケーションによって表示されるスクリーンショットを示し、一番上は、許可８０の見出しであり、それは作業の許可である。許可についての詳細を示すメニューバー８２が存在する。ユーザーは、許可に関する情報の異なる種類のカテゴリーを選択できる。この場合、許可データ８４、許可８６および事前動員確認８８についての文書が存在する。これらの各々を選択できる。この例では、許可データのタブが強調表示され、ウィンドウ９０には、作業の許可に関する情報が提供される。許可は、有効な時間枠を有し、９４で示される日付から９６で示される日付まで有効である。強調表示された領域９６は、この日付を変更できるように選択される。さらに、実行される作業の説明は、実行される作業の種類を定義するように９２において選択される。現場担当者がアクセス可能なデータは、データベースから自動的に取り出されるため、ポータブル装置のメモリーに自動的にロードされて表示される。許可の満了は、最大の許容期間にリセットできる。
【０１０４】
許可の発行者は、全ての許可のチェックの責任を負う。許可の発行者は、参照チェックおよび介入に案内されうる。許可の保有者は、許可に従って作業を確認する責任を負う。
【０１０５】
図１８を参照すると、タイトルバー１００に表示された高所作業の許可の例が示され、メニュースライダー１０２のメニューアイテム「設備およびモードにアクセス」が選択されて強調表示される。これは、この許可の性質と、それを発行するために必要なものと、この許可に必要な全ての制約事項に関する視覚的ガイドを含む情報をユーザーに提供する。１０４によって示されるように転倒した人を制限する必要がある。許可が何を必要とするかについての視覚的ガイドが１０６に存在し、この環境で操作する必要がある装備が１０８に表示される。
【０１０６】
見出し１１０に示されるように、高温作業の許可の例である図１９および図２０を参照する。許可のチェックリストのアイテムは、バーメニュー１１２で選択することができ、アイテムはウィンドウ１１４に列挙される。チェックリストのアイテムは、「タスクは壁や天井または閉じた設備の高温作業を含むか？」という質問をする。そうであれば、示されるようにｙｅｓのボックス１１６がチェックされる。これにより、その状況に関連する追加の要件が生じる可能性がある。
【０１０７】
チェックリスト１１４’の他の態様を示す図２０を参照する。チェックする必要があるアイテムがそうでない場合、１１６で示すように、チェックリストごとの要件が全て満たされていないため、作業が進まないことを示す通知１１８が表示されてもよい。これにより、現場担当者は、要件が何であるかを知ることができ、要件が満たされているかどうかをチェックする処理に進むことができる。必要なアイテムのいずれかが満たされていない場合は、作業を進めることが許可されていないことが通知される。また、これにより、状況が変化した場合に回答を変更できる。チェックされたアイテムの要件が満たされているこの例では、対話形式で自動的に通知１１８が変更される。
【０１０８】
許可されている全ての人は、役割特有の通知を受け取ることができる。許可に割り当てられた担当者が列挙され、ジョブを遂行するためにどのような種類の許可が必要であるかをユーザーが把握できるようにリマインダーを提供できる。ユーザーは、許可を確認し、積極的に受け入れて、彼らが理解していることを示し、許可の理解の記録があり、それが割り当てられており、特定の許可に関連したリスクにおいて彼らの役割に対する彼らの責任を受けていることを示すことができる。
【０１０９】
図４に示すように、新しい許可を発行できる。たとえば、１５０によって示されるようにアスベスト除去の許可が必要な場合である。新しい許可を生成するアイコンが１５２において選択される。ユーザーは、許可されるべきジョブの詳細およびタスクを含む許可の詳細を提供する画面１５４に進む。次に、図２１に示すように必要とされるアスベスト除去のタイプを識別する次のスクリーン１５６に進み、必要とされる情報のいくつかをより明確に示す。この画面では、除去可能な者が「脆弱ではないアスベストを１０ｍ２未満」の正しいライセンスを保有しているかどうかを問い合わせられる。他の詳細は、１５６に示されるように提供される。入力されると、ユーザーは、スクリーン１５８において、許可を必要とするジョブおよびこのジョブに特有のリスクについての情報を提供するように進行できる。情報は、スクリーン１６０および１６２においてチェックボックスに入力するかフリーテキストとして入力できる。
【０１１０】
許可の生成の他の例が図５に示され、それは図２２に詳細に示され、１７２において始まる閉鎖制限された空間への侵入許可の生成である。許可に必要なジョブの詳細およびタスクを含む許可についての基本的な情報は、１７４に示される。担当者は、図２２に示すように、１７６において許可に割り当てられる。許可の安全要件に関する情報は、１８０と１８２に入力される。
【０１１１】
掘削の許可のさらなる例が、図６に関連して示される。許可の生成は１９０において始まり、１９２に進み、許可要求に必要なジョブの詳細とタスクを含む許可要求に関する基本情報が表示される。必要なタスクと、掘削に関連するクリアランス要件を含むタスクの要件は、ウィンドウ１９４，１９６，１９８，２００および２０２に入力される。図２３は、１９６の一部をより詳細に示す。このメニューアイテムでは、チェックボックスを選択することによって情報を入力できる。
【０１１２】
高圧水噴射の許可の生成のさらなる例が、図７に関連して示され、２１０で始まり、許可についての詳細が２１４に示される。プロセスは、２１６および図２４にさらに詳細の入力に進む。この許可の要件に関する情報は、チェックボックスの完了によって入力できる。
【０１１３】
高温作業の許可の生成のさらなる例が、図８に関連して示され、２２０で始まる。許可に関する基本情報は、２２４に示される。
【０１１４】
ジョブに関する情報は、２２６において、図２５にさらに詳細に示されるように入力される。作業に関する注意事項と、高温作業の実行を支援することが許可された人も、２２８，２３０、および２３２に入力される。
【０１１５】
図９は、高所作業の許可の発行の例を示し、２７０で始まり、２７２に進み、基本情報が提供される２７４に進む。必要な作業の性質に関する情報は２７６に入力され、図２６に詳細に示される。２８２および２８４において救助計画および人物のスタンドに関する情報など、２７８に入力される。
【０１１６】
一般的な許可の例が図２９に示される。図２７に示すような様々な担当者に関連して使用される各許可は、作業現場での作業が許可されている担当者のリストを示す。リストは、保有者が許可を移転しようとしている場合は、許可の保有者を移転できる担当者のみを表示するように選択される。リストは、許可が与えられた種類の作業を行うことができる担当者を許可の保有者に追加できる担当者のみを表示するように選択される。各許可に関係する各人物には、図２８に示すように、彼らが関係する仕事の各許可をレビューおよび署名する必要に関するリマインダーが提供される。
【０１１７】
許可の期間は追跡可能であり、許可の期間の満了前に、延長または新しい許可が必要な場合に措置を取ることができるように保有者に通知される。許可のもとで行われた作業が終了すると、許可がクローズされうる。許可の保有者および発行者は、許可に関連して変更が加えられたときに通知される。
【０１１８】
リスク評価
図３０は、ホーム画面１２と、４０２で示された領域内の画面のタッチによるリスク評価の選択を示す。これにより、ユーザーは図３１にも示されるメニュー２０に移動する。４１０の先頭の見出し、逆矢印およびメッセージのアイコンによってプレゼンテーションの一貫性が示される。ジョブは下に列挙される。スライドメニューバー４１２により、ユーザーは、行われるリスク評価の種類を選択できる。一実施形態では、リスク評価の種類はＪＳＡまたはテイク５である。テイク５が選択され、強調表示される。既存のリスク評価のリストが４１６において提供される。タスクまたは日付による既存のテイク５の検索を２１４において入力できる。新しいテイク５を４１８において入力できる。テイク５を以下で詳述する。
【０１１９】
ＪＳＡは、クローズするまで発行、更新、または移転されうる。リスク評価としてＪＳＡが選択され、既存のＪＳＡが選択されると、装置は図３２のウィンドウ４３８においてＪＳＡに関する基本情報を表示する。基本情報のオプションは、見出し４３２においてＪＳＡの名前でスライドメニューバー４３４において選択される。メニュー４３４内の基本情報以外の他のオプションは、リスク評価担当者である。ＪＳＡには、メインメニューのトップメニュー４３２に示される識別番号が付与される。また、４４０で示されるように、ＪＳＡに署名するか、ＪＳＡをクローズしＪＳＡを更新するオプションもある。
【０１２０】
図３３は、リスク評価の方法ステップを選択できるウィンドウ５１０を示す。強調表示された領域５１２上の選択は、図３４の５２０に示されるように、「現場の全時間」を開く。これにより、ユーザーはリスク評価にリスクを追加できる。リスク領域の追加５２２を選択すると、図３５の５３０にリスクのリストが表示される。ユーザーは、これらのリスクから選択し、それらをリスク評価に追加できる。次に、ユーザーは、リスクアイテム５３２の隣の次のメニューアイテムに示されるように、制御（コントロール）をスワイプできる。これにより、図３６の５４０で示すようにリスクを緩和するために利用可能な制御が開く。制御の見出しがメニュー５４２で強調表示される。ユーザーは、図３７の５５０においてリスク格付けを選択できる。選択されていないリスク格付けが選択されると、図３８のポップアップリスクマトリクス５６０が開かれる。利用可能な選択肢は、マトリックスの各軸のように影響および尤度に依存する。影響は、マイナー、ミディアム、シリアス、メジャーから選択される。尤度は、可能性が非常に高い、可能性が高い、可能性が低い、可能性が非常に低いから選択される。これらの軸のセクションがリスク格付けを決定する。５６４で示されるようにマイナーな影響が選択される。これにより、健康および安全性と環境への影響の点におけるマイナーな影響の意味を示す図３９のポップアップが開く。図４０は、選択された全てのリスクにリスク格付けが与えられていることを示す。
【０１２１】
リスクの評価は、図４１のように担当者の割り当てに進むことができる。このＪＳＡによって影響を受けた担当者は、現場監督の詳細を含む５９０において列挙されうる。ＪＳＡは、提出ボタン５９２を選択することによって提出できる。これは、図４２に示すような通知を、図４１に列挙される全ての担当者に発行し、図４２に示されるようにリマインダーに示される。ＪＳＡをレビューおよび署名できる。状況によっては、ＪＳＡを更新できてもよい。
【０１２２】
図１０は、新たなＪＳＡの生成プロセスを示す。メインメニューから選択すると、プロセスは４５０で開始し、上記のように図３１にも示される。新たなＪＳＡに関する基本的な情報は、図４３にも示されるように、４５２に示される。
【０１２３】
方法のステップは、図４４にも示されるように、４５４に入力される。リスクがリストから選択される。リスト内のリスクの検索の例が図４５に示され、選択されたリスクが図４６に列挙される。ステップ４６０〜４６６で制御とリスク格付けが行われ、ステップ４６８で担当者に割り当てられる。
【０１２４】
テイク５はユーザーに固有のものであるが、依然として中央に保持され、依然として文書の動的インターフェースを有する。ユーザーは、タスクを開始する前に、自分自身のリスクを評価する。図１１は、７１０によって示されるようにテイク５を実行するための選択によって開始するプロセスを示す。ユーザーは、７１２において作業中のジョブを選択できる。ジョブの詳細は７１４において現れ、ジョブを選択するとジョブのさらなる詳細は７１６および画面の形態を明確に示す図４７に示される。ユーザーは、７４２において共通タスクのリストから実行されるタスクを選択できる。ユーザーはスクロールまたは検索できる。
【０１２５】
図４８は、選択された種類のタスクに適用されるリスクのリストを示す。リスクは７２２において選択できる。リスクを緩和できる制御のリストが７２４において示される。
【０１２６】
図４９の追加のメニューオプションは、リスクが何を伴うかについての情報と、リスクを監視するためのリマインダーを提供する。また、リスクを監視することもでき、何か変更があった場合、ユーザーは他の５つのリスクを見直し、リスクを再評価し、リスクを緩和するためにどのような制御を適用するかを選択できる。
【０１２７】
設備のプレスタートの視覚的な手がかり
設備のプレスタートが完了すると、担当者は特定のチェックが設備のどのコンポーネントに関係するかについて混乱する可能性がある。これは、特に読解が困難な人（たとえば失読症）の場合に発生する。開示されたシステムおよび方法は、以下を提供する。
【０１２８】
ａ）設備のチェック番号に従って番号が付けられた各構成を備えた設備の図。
【０１２９】
ｂ）各チェックが関連する構成要素の強調表示（色の変更による）。
【０１３０】
たとえば、高速切断鋸のプレスタートのテンプレートでは、チェック番号１１は切断ブレードに関連する。したがって、高速切断鋸の図はブレードに「１１」と番号を付け、ユーザーがブレードのチェックの質問をスクロールすると、図中のブレードの色が変わる。
【０１３１】
ホーム画面１２から、図１２に示すように、設備が選択され、サブメニューが８００において提供される。メニューは、ジョブで使用するために提供されるか利用可能な設備のリストを含む。ユーザーは、図５０においてプレスタート、リスク評価を実行する設備のアイテムを選択しまたは登録簿を閲覧できる。選択されたジョブに使用される設備のリストがウィンドウ８０２に示される。あるいは、ユーザーは、８０４において設備の特定のアイテムを検索できる。特定の設備に関連するリスク評価および登録簿は静的であるが、プレスタートのチェックは固有であり動的である。装置のプレスタートのアイテムが選択されると、対話型となりうるテンプレート化されたチェックのセットが示される。たとえば、ユーザーが８１８において与えられたアイテムのクイックサマリーを選択した場合、制御情報のセットが図５１およびアイテム８２０に示すように現れる。ユーザーは、その設備のアイテムに関する固有の詳細を見ることができる。ユーザーは、この特定の設備に関する基本情報を確認でき、この情報は、設備のアイテムが正常に動作することを確認するためにチェックするアイテムのチェックボックスが含まれている。ユーザーは、８５２において示された質問に回答できる。回答の１つが、メニューアイテム８２２のように、また図５２でより詳細に示されるように、設備が正常に動作しないことを示す場合、ユーザーには、設備が正常に動作しないという情報が提供される。たとえば、図５２に示される場合において、設備のアイテムは、８６２において示されるようにオイル漏れがあり、この例では、故障中である。これらは、ユーザーに報告するアイテムであり、現場監督を含み設備を故障中としてタグ付けする。報告は、「報告送信」ボタン６００および８６４の選択によって自動的に送信され、既に提供された情報によって、書式のオープン領域を自動的に完了させうる。
【０１３２】
図１２に戻り、選択するアイテムは、ユーザーが必要とされる設備の他のアイテムであるスキッドステア８０８の使用を必要とする場合、他のプレスタートが使用されることを示す。プロセスは８３０から８４０に進み、設備のその部分のためのプレスタートの要件を確認する。
【０１３３】
設備の過剰使用チェック
設備のプレスタートが完了すると、その日の設備の使用が特に過剰または激しいかどうかを質問される。ユーザーが肯定を示した場合、設備のプレスタートは追加のチェックを完了する必要がある。たとえば、車のプレスタートでは、長距離またはオフロードの運転のための追加のチェックを完了する必要がある。
【０１３４】
データベースのタップ
作業の安全な完了には、掘削前のダイヤル（ＤＢＹＤ）や汚染現場などの第三者のデータベースへのアクセスが必要となる場合がある。計画は、一般に事務所担当者によって行われ、現場の担当者に紙の形式で提供される。記載されるシステムおよび方法は、以下を含む。
【０１３５】
１．現場担当者が自分の作業に適用される計画のＰＤＦファイルを閲覧可能とする（計画のアイコンまたはＪＳＡのカバー画面を介して）。これらのＰＤＦファイルは、一般に、事務所担当者によって提供され、アプリケーションにロードされる。
【０１３６】
２．また、第三者のデータベース（たとえば、ＤＢＹＤおよび汚染現場データベース）から直接計画を取得することも考えられる。
【０１３７】
リアルタイム自動警告
現場の活動（個人のモバイル装置および／またはウェアラブル技術によってＧＰＳ追跡される）の間に、現場の担当者に自動警告（音声および振動）を提供できる。
【０１３８】
ａ．掘削がＤＢＹＤにおいて規定されている地下サービスの近傍に接近した場合
ｂ．活動が特定の許可と計画（たとえば、環境の許可）において規定されている近傍または境界に接近した場合。
【０１３９】
ｃ．担当者が特定の稼動プラントまたは設備（掘削機など）の近傍に侵入した場合（この場合、警告は作業者および関連する地上の担当者に発行される）
ｄ．特定のノイズレベルが装置によって検出された場合
ｅ．特定の振動レベルがモバイル装置によって検出された場合
ｆ．特定の周囲温度がモバイル装置によって検出された場合
図３を参照すると、アイテム９２２に示されるように、設備の故障を報告する場合などに自動的に生成される新しい報告の生成が示され、またはそれはリスクを示すまたは報告を必要とする事故である事象の観察によって生成されてもよい。報告の完成は、チェックボックスを選択することによる情報の完成を含み、たとえば、電気を含む問題であるかどうか、健康および安全リスクかどうか、環境リスクであるかどうか、その他の要因として、負傷者がいるかどうか、他の人が関与しているかなどの要因が含まれる。これはボックス９２４に入力できる。人が関与する傷害があった場合、９２６に詳細を入力できる。
【０１４０】
情報は、図１３に示すように報告に入力でき、アイテムの性質は８２０において選択できる。８７０において、設備故障の重大度の概要が、ボックス８３４および８３６において提供される。問題の写真が撮影されてアップロードされうる。
【０１４１】
本発明は、リスクについてユーザーに通知できること加えて、図２に示される報告の会議に関する警告情報を提供することを含む発表のためのプラットフォームを提供できる。図５３は、場所のメニュー９３２が、右上隅のアプリケーションアイコンの選択によって開かれることを示し、これは、待機中の警告が存在し、図５４に示されるように、ジョブリスト９３４によって示される特定のジョブに関する警告が、サイクロンの更新９４０が発行されていることを示す場合、ユーザーは、サイクロンの更新を選択して図５５のサイクロンの警告に関する追加情報９４４にアクセスできる。
【０１４２】
図５６にさらに詳細に示すように、情報はホーム画面にも提供することができ、ＭＳＤＳへのアクセスを提供する化学物質ジョブを遂行するためコンパイルを実行するためにユーザーが利用可能な計算機、救急処置のような訓練情報やプロトコルさらに一般的な手続きへのアクセスなどの見出しの下の文書、ビデオおよびツールの情報のリスト９６４を示す。また、ジョブタブ９６０の下には、ジョブに関連して生成された文書（許可、ＪＳＡ、テイク５など）のリストと、受け入れおよびまたは署名される必要がある文書のリマインダーが存在する。
【０１４３】
図２は、火災警告を示す。メインタイトルの下に通知ボックスが表示される。選択されると、警告メニューは、９０４において警告を列挙する。警告ウィンドウが９０６において開き、火災警告のリストが表示される。これは、自然の火災警告を見てそれに関する情報を得るために９０８において開くことができる。
【０１４４】
設備のタグ付け自動リマインダー
開示されたシステムおよび方法は、すべての設備のタグ付け要件のための自動リマインダーを含むことができる。たとえば、電気設備、リフトギア、ポータブルはしご、ハーネスおよびリカバリギアの４半期ごとのタグ付けおよび確認のために自動リマインダーが発行される。
【０１４５】
ペイント色置換
現場作業者が現場において地下サービスを電子的に探しているときに、視認性の高いペイントマークで表面をマークするために使用される「一般的な」色のセットがある。たとえば、次のように表面をマークするのが一般的である。
【０１４６】
Ａ）水のための青色の線
Ｂ）下水道のための緑色または黒色の線
Ｃ）電力のための橙色の線
Ｄ）ガスなどのための黄色の線
しかし、実際には、作業者は必要な色のペイントが不足しているため、色を即席で作成する。
【０１４７】
開示された掘削の許可は、ユーザーが各サービスの色付きのドットを選択することによって、地下サービスの各種類をマークするために使用された色を規定可能とする。これは、一般的に各サービスの色を指定する紙ベースのシステム（ペイント色が利用できない場合、現場オペレーターは無視する）とは異なる。
【０１４８】
会議
アプリケーションは、関係者が次のような会議を開催可能とする。
【０１４９】
ａ．会議における議論のためのトピックの追加
ｂ．議事録を記録するための音声からのテキスト入力の使用
ｃ．アクションアイテムの特定の担当者への割り当ておよび各アクションアイテムへの期限の設定
ｄ．会議の参加者は２つの通知を受ける
ｉ．会議の議事録のレビューおよび署名のリマインダー
ｉｉ．割り当てられた各アクションアイテムのリマインダー
保留中のリスク警告がある場合、現場監督および／またはプロジェクトマネージャーは、会議においてこれらを呼び出すよう要求されてもよい。
【０１５０】
署名
ユーザーが文書に「サイン」するたびに、最初に１つ以上のステートメントを確実に確認する必要がある（たとえば、「このＪＳＡをレビューし、理解し、遵守することに同意する」など）。このステートメントは、各文書に特有のもので、各文書の各ユーザーの役割に特有のものです。署名が残っている場合、それが注目されるまでリマインダーにおいてそれを行う必要が残る。
【０１５１】
この分野におけるリスク管理のための情報を提供および受信する開示された方法およびシステム、より詳細には、許可、計画、リスク評価および設備情報にアクセスし、文書を自動生成し、データを送信し、許可の可溶性および場所に基づいて通知を受信し、現場作業者がリスク管理のプロセスに携わり、現場作業者が適切な方法でリスク管理作業を完了できるようにするためのツールを提供する。開示された構造およびナビゲーションシステムおよび方法は、ナビゲーション、自動生成、許可および計画ステータスの警告、設備のプレスタートの視覚的な手がかり、データベースのタップ、リアルタイムの自動警告、設備の過剰使用のチェック、設備のタグ付けの自動リマインダーおよびペイント色置換、さらに現場作業者をリスク管理の過程に関与させ、現場作業者が適切な方法でリスク管理タスクを完了させるためのツールを提供する。
【０１５２】
担当者個人のモバイル装置から
ａ．担当者は以下を閲覧できる。
【０１５３】
Ｉ．ジョブライブラリーに添付されている全ての計画など（デスクトップアプリケーション経由）
ＩＩ．彼らが生成または署名した全ての文書
ｂ．現場監督とプロジェクトマネージャーは、上記の全ての文書と、他の誰かがジョブについて生成または発行した全ての文書を閲覧できる。
この開示は、発明の真実、意図された公正な範囲および精神を限定するのではなく、技術に従って様々な実施形態を形成および使用する方法を説明することを意図している。前述の説明は網羅的であることを意図するものではなく、開示された形態に厳密に限定されるものでもない。上記の教示に照らして、変更または変形が可能である。記載された技術の原理およびその実用的な適用の最良の説明を提供し、当業者が様々な実施形態において技術を利用することを可能にするために、実施形態を選択して記載した意図される特定の用途に適用される。そのような変更および変形のすべては、特許出願の係属中に修正され得るように、添付の特許請求の範囲によって決定される本発明の範囲内であり、合法的かつ公正に権利が与えられている範囲に基づいて解釈された場合、そのすべての均等物を意味する。
【図１】
2018511898.tif 000003
【図２】
2018511898.tif 000004
【図３】
2018511898.tif 000005
【図４】
2018511898.tif 000006
【図５】
2018511898.tif 000007
【図６】
2018511898.tif 000008
【図７】
2018511898.tif 000009
【図８】
2018511898.tif 000010
【図９】
2018511898.tif 000011
【図１０】
2018511898.tif 000012
【図１１】
2018511898.tif 000013
【図１２】
2018511898.tif 000014
【図１３】
2018511898.tif 000015
【図１４】
2018511898.tif 000016
【図１５】
2018511898.tif 000017
【図１６】
2018511898.tif 000018
【図１７】
2018511898.tif 000019
【図１８】
2018511898.tif 000020
【図１９】
2018511898.tif 000021
【図２０】
2018511898.tif 000022
【図２１】
2018511898.tif 000023
【図２２】
2018511898.tif 000024
【図２３】
2018511898.tif 000025
【図２４】
2018511898.tif 000026
【図２５】
2018511898.tif 000027
【図２６】
2018511898.tif 000028
【図２７】
2018511898.tif 000029
【図２８】
2018511898.tif 000030
【図２９】
2018511898.tif 000031
【図３０】
2018511898.tif 000032
【図３１】
2018511898.tif 000033
【図３２】
2018511898.tif 000034
【図３３】
2018511898.tif 000035
【図３４】
2018511898.tif 000036
【図３５】
2018511898.tif 000037
【図３６】
2018511898.tif 000038
【図３７】
2018511898.tif 000039
【図３８】
2018511898.tif 000040
【図３９】
2018511898.tif 000041
【図４０】
2018511898.tif 000042
【図４１】
2018511898.tif 000043
【図４２】
2018511898.tif 000044
【図４３】
2018511898.tif 000045
【図４４】
2018511898.tif 000046
【図４５】
2018511898.tif 000047
【図４６】
2018511898.tif 000048
【図４７】
2018511898.tif 000049
【図４８】
2018511898.tif 000050
【図４９】
2018511898.tif 000051
【図５０】
2018511898.tif 000052
【図５１】
2018511898.tif 000053
【図５２】
2018511898.tif 000054
【図５３】
2018511898.tif 000055
【図５４】
2018511898.tif 000056
【図５５】
2018511898.tif 000057
【図５６】
2018511898.tif 000058
【図５７】
2018511898.tif 000059
【図５８】
2018511898.tif 000060
【図５９】
2018511898.tif 000061
【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
プロセッサー、メモリー、ネットワークインターフェース、およびタッチ表示画面を含むコンピューター上で実行されるリスク管理のための情報を提供するコンピューター実装方法であって、
前記プロセッサーにおいて、前記ネットワークインターフェースを介して、許可を識別する情報を受信するステップと、
前記タッチ表示画面上に、許可を識別する前記情報を表示するステップと、
許可を識別する表示された前記情報の近位のタッチ信号を受信するステップと、
許可を識別する前記情報の近位の前記タッチ表示画面上のタッチ信号を受信すると、特定の許可を識別する１つ以上の情報を受信して前記タッチ表示画面に表示するステップとを含み、特定の許可を識別する前記情報は、前記許可が有効であるか否かまたは前記許可が失効しているか否かを示す表示を含む方法。
【請求項２】
前記コンピューターは、ＧＰＳ追跡をさらに含み、
離れた場所において、ＧＰＳを介して前記コンピューターの位置を追跡するステップと、
前記離れた場所において、前記コンピューターの位置におけるジョブに関連する許可が失効したか否かを処理するステップと、
前記コンピューターの位置に関連する許可が失効した場合、前記コンピューターへの配信のための通知を送信するステップと、をさらに含む請求項１に記載の方法。
【請求項３】
ポータブル装置を所有している人物によって実行されるジョブを選択するステップと、
前記ジョブに関連する情報であって、前記ジョブのために必要な許可、前記ジョブの実行のための計画、前記ジョブに関連するリスク、前記ジョブに関連して使用される設備を有する情報を前記ポータブル装置にダウンロードするステップと、
前記ジョブに必要とされる許可に関する情報、前記ジョブの実行の計画に関する情報、前記ジョブに関連するリスクに関する情報、前記ジョブに関して使用される設備に関する情報それぞれの一つの選択のための対応する表示を表示するステップと、
前記表示のうちの１つの選択を受信するステップと、
受信した前記選択に従ってダウンロードされた情報の少なくとも一部を表示するステップと、
前記人物による前記ジョブの実行に関して表示された前記情報の使用に関連するポータブル装置への入力を受信するステップと、
前記人物による前記ジョブの実行に関する表示された前記情報の使用の記録を記憶できるように前記入力をアップロードするステップと、
を含む方法。
【請求項４】
前記ジョブの前記選択は、ジョブの種類の選択を含み、前記ジョブの種類は、前記ジョブの種類に応じて、利用可能な情報のライブラリーからダウンロードされる前記情報を予め選択する請求項３に記載の方法。
【請求項５】
前記情報は、前記ジョブの種類のジョブが実行されるときに完成される書式からの情報を含み、前記入力は、前記ジョブの種類の前記ジョブが実行されようとするときまたは完了したときに前記ポータブル装置を使用して前記書式上で完成される情報である請求項３に記載の方法。
【請求項６】
前記情報は、表示された前記情報について受信された前記入力に従って前記ジョブを実行することが許可されているか否かをユーザーに示すように前記ポータブル装置によって実行されうる１つ以上のチェックを含む請求項３に記載の方法。
【請求項７】
ポータブル装置を所有している人物によって実行されるジョブを選択し
前記ジョブに関連する情報であって、前記ジョブのために必要な許可、前記ジョブの実行のための計画、前記ジョブに関連するリスク、前記ジョブに関連して使用される設備を有する情報を前記ポータブル装置にダウンロードし、
前記ジョブに必要とされる許可に関する情報、前記ジョブの実行の計画に関する情報、前記ジョブに関連するリスクに関する情報、前記ジョブに関して使用される設備に関する情報それぞれの一つの選択のための対応する表示を表示し、
前記表示のうちの１つの選択を受信し、
受信した前記選択に従ってダウンロードされた情報の少なくとも一部を表示し、
前記人物による前記ジョブの実行に関して表示された前記情報の使用に関連するポータブル装置への入力を受信し、
前記人物による前記ジョブの実行に関する表示された前記情報の使用の記録を記憶できるように前記入力をアップロードするように構成されるプロセッサーを有するシステム。
【請求項８】
ジョブによって階層的に構造化されたデータベースを含み、各ジョブ内には、前記ジョブの実行のための組織構造および前記ジョブの実行のためのタスク構造に関するフィールドが存在する請求項７に記載のシステム。
【請求項９】
前記データベースは通信の記録をさらに含み、
前記通信の記録は、会議、報告、完成された書式および警告のうちの一つ以上をさらに含み、
前記完成された書式は、許可、計画、設備およびリスク評価のうちの一つ以上を含む請求項７に記載のシステム。
【請求項１０】
前記データベースは、関係者が前記データベースを生成、編集、およびアクセスするための許可をさらに含む請求項７に記載のシステム。
【請求項１１】
開始前のチェックリストまたはリスク評価が正常に完了していない場合、システムは、失敗したチェックリストに関して警告を生成するように構成される請求項７に記載のシステム。
【請求項１２】
前記ポータブル装置は、検索可能かつ拡張可能な情報のリストによって構成される請求項７に記載のシステム。
【請求項１３】
入力されたデータをログに記録し、次いで、書式の完成をタスクの開始および完了と一致させて、安全のプロトコルの遵守を保証するように構成される請求項７に記載のシステム。
【請求項１４】
許可または計画または他の要件のうちの１つ以上の有効期間をテストし、現在時間が前記有効期間内でない場合に警告を生成するように構成される請求項７に記載のシステム。
【請求項１５】
許可または計画または他の要件のうちの１つ以上の有効な地域の適用可能性をテストし、それぞれの許可、計画またはその他の要件を要求する動作が開始されるときに現在の場所が有効な地域内でない場合に警告を生成するように構成される請求項７に記載のシステム。
【請求項１６】
前記許可が発行される予定の関係者の記録に対する許可の発行の要件をチェックするように構成され、前記要件が満たされない場合には、前記要件が満たされていない旨の警告を発するように構成される請求項７に記載のシステム。
【請求項１７】
前記ＪＳＡが生成されているアクティビティにおける方法のステップの選択を受信すること、選択された前記方法のステップに適用可能なリスクの選択を受信すること、選択された前記リスクを緩和するための制御を受信すること、選択された前記リスクの各々についてリスク格付けの選択を受信すること、前記ＪＳＡが適用される１人以上の担当者の選択を受信することによってＪＳＡを生成するように構成され、
前記方法のステップは、所定の方法のステップのリストから選択でき、前記リスクは、所定のリスクのリストから選択でき、前記制御は、所定の制御のリストから選択でき、前記リスク格付けは、所定のリスク格付けマトリックスから選択でき、および／または担当者は、ＪＳＡが生成されているジョブに割り当てられた所定の担当者リストから選択されてもよい請求項７に記載のシステム。
【請求項１８】
選択された前記担当者の各々には、前記ＪＳＡの承認を要求するメッセージが送信される請求項１７に記載のシステム。
【請求項１９】
実行されるタスクの選択を受信し、選択された前記タスクに適用可能な可能性のあるリスクの選択を受信し、選択された前記可能性のあるリスクを緩和するための制御の選択を受信することによってリスク評価を生成するように構成される請求項７に記載のシステム。
【請求項２０】
前記タスクは、所定のタスクのリストから選択されるかまたはユーザーによって入力され、前記可能性のあるリスクは、所定の可能性のあるリスクのリストから選択されるかまたはユーザーによって入力され、および／または前記制御は、所定の制御のリストから選択されるかまたはユーザーによって入力され、ユーザーがタスク、リスクまたは制御を入力すると、入力されたタスク、リスクまたは制御はそれぞれ前記所定のタスクのリスト、前記所定のリスクのリストまたは前記所定の制御のリストに追加される請求項１９に記載のシステム。
【請求項２１】
設備のアイテムの使用前に実行されるチェック（プレスタート）に関する情報を表示し、チェックされる設備のアイテムの各部分のチェックボックスを提供し、前記部分がチェックされたときに選択を受信し、チェックリストが正常に完了するまで前記アイテムが使用不能であるというメッセージを表示するように構成され、
前記チェックリスト内のアイテムがプレスタートのチェックの失敗として選択された場合、前記システムは警告を生成するように構成され、
前記設備の前記アイテムは、修理または交換されるまで、前記データベースにおいて故障中としてフラグが設定される請求項７に記載のシステム。
【請求項２２】
ジョブへの割り当ては、前記ポータブル装置を有しているどの関係者が存在すべきでないかまたは進入すべきでないかに関してデータベースから情報を検索することによってジオフェンスの生成の契機となり、前記ポータブル装置は前記ジオフェンスに対する位置を確認し、前記ジオフェンスと交差したときに警告を生成する請求項７に記載のシステム。
【手続補正２】
【補正対象書類名】明細書
【補正対象項目名】全文
【補正方法】変更
【補正の内容】
【発明の詳細な説明】
【技術分野】
【０００１】
本開示は、現場におけるリスク管理のための情報を提供および受信する方法およびシステムに関し、より詳細には、許可、計画、リスク評価および設備の情報、自動生成文書にアクセスし、ユーザー特有の位置、活動および権限ならびに各々の変化に基づく通知を受信する方法およびシステムに関する。
【背景技術】
【０００２】
現在の現場のリスク管理の活動には、従業員の健康および安全、環境保護および品質管理に関する過剰な規制、規約および基準が含まれる。全ての企業が全ての基準を遵守しなくてはならないが、従業員が以下の活動に携わっている場合、遵守は特に困難である。
Ａ）オフィスまたはデスクから離れた活動（「最前線」の従業員）
Ｂ）複数の現場または日々変化する現場にわたって発生する活動（たとえば、配管業者、電気技師、移動技術者、移動ヘルスケアサービス）
Ｃ）建設業、鉱業、土木建築業または任意の他の「リスクの高い」作業を含む活動
要するに、遵守（コンプライアンス）は一般に、
１．特定の作業を行う前に、安全確認のチェックリストを完成させ、規定された制御を実施すること
２．あらゆるジョブを行う前に「リスク評価」を行うこと、のいずれかを従業員に要求する。最も単純な形態では、リスク評価には以下のものが含まれる。
Ａ）ジョブの各段階について全ての危険を特定すること
Ｂ）それぞれの危険について制御を選択すること（危険が大きいほど、必要とされる制御が強くなる）
Ｃ）「残存」リスクのレベルを（「定性的」評価によって）決定すること
Ｄ）以下の場合のみ、ジョブを進めること
ｉ）残存リスクが「適切である」場合
ｉｉ）全ての制御が実施されている場合
これらのチェックリストおよびリスク評価の大部分は紙ベースであり、生成される書類の量は非常に多い。一例として、最前線の従業員が日常的に記入する書式の要約されたリストを以下に示す。
Ａ）車両、トラック、資本設備および工場のための設備のプレスタート：任意の従業員が任意の設備を操作する前に記入しなければならない約３０件の保守点検のリスト
Ｂ）ジョブ安全評価（Ｊｏｂ  Ｓａｆｅｔｙ  Ａｓｓｅｓｓｍｅｎｔ、ＪＳＡ）：プロジェクトまたはジョブにおける全ての段階の詳細なリスク評価。ＪＳＡはジョブごとに記載され、少なくとも毎日評価される。基本のＪＳＡは、生成に最大６０分、評価に最大２０分かかる。ジョブに携わる全ての従業員は、毎日仕事を開始する前にＪＳＡを見直し、ＪＳＡに署名しなければならない。
Ｃ）テイク５評価：従業員が特定の作業を開始する前の約３０の危険についての確認
Ｄ）許可：特定の活動が行われる前に実施されなければならない安全確認および規定された制御の詳細なリスト。たとえば、従業員が以下のことを行う前には、一般に許可が必要とされる。
【０００３】
ｉ）任意の作業を行うための任意の現場への訪問
ｉｉ）任意の表面（たとえば壁）の貫通
ｉｉｉ）掘削（手動または機械的に）
ｉｖ）閉鎖空間進入
ｖ）高所作業（ある高さから１フィート未満でありうる他の高さに落下するリスクとして定義される）
ｖｉ）電気工事実施
ｖｉｉ）高温作業実行
ｖｉｉｉ）植物の除去
ｉｘ）何人かの作業員に対して、高圧水噴射の実行、またはコンクリート切断鋸の使用
【発明の概要】
【発明が解決しようとする課題】
【０００４】
当然、最前線の従業員は、書類生成に対して特に何百回も同じ作業またはジョブを行った場合に、自然な嫌悪感を抱く。書類生成の重要な欠点は、
現場の従業員に毎日「一筆書く」ように伝えることにとてもよく似ている点、
現場の従業員は、書類作成を尊重しないため、それを鞘取引（アービトラージ：ａｒｂｉｔｒａｇｅ）する点、
このことが、非常に非効率的という点である。たとえば、
ｉ）これらの完成された書類からのデータが、中央システム（たとえば、資産管理システム、訓練システム、現場時間の記録、燃料消費量など）に管理スタッフによって手動で入力されなければならない。
【０００５】
ｉｉ）最前線の従業員は書類生成を鞘取引（アービトラージ：ａｒｂｉｔｒａｇｅ）できるため、安全調査員が現場に行って、書類を確認しなければならない。
【０００６】
本明細書においてなされる文書に対する参照は、明示的に述べられていない限り、それらの文書に含まれる情報が、本発明の当業者に知られている一般的な知識の一部を形成することを認めることを意図するものではない。
【０００７】
本明細書および特許請求の範囲を通して、文脈がそれ以外を必要としない限り、「含む（ｃｏｍｐｒｉｓｅ）」の用語または「ｃｏｍｐｒｉｓｅｓ」もしくは「ｃｏｍｐｒｉｓｉｎｇ」などの変形は、記載された整数または整数群を含むが、任意の他の整数または整数群を除外しないことを意味するように理解される。
【課題を解決するための手段】
【０００８】
本開示は、現場におけるリスク管理のための情報を提供および受信する方法およびシステムに関し、より詳細には、許可、計画、リスク評価および設備の情報、自動生成文書にアクセスし、ユーザー特有の位置、活動、権限および各々の変化に基づく通知を受信する方法およびシステムに関する。開示されたリスク管理システムおよび方法は、リスク管理プロセスにおいて最前線の従業員をサポートし、関与させ、最前線の従業員に適切な方法でリスク管理タスクを完了させるためのツールを提供する。
【０００９】
開示されたシステムおよび方法に係る一実施形態は、以下のものを提供する。
１．最前線の従業員がｉＰｈｏｎｅ（登録商標）／ｉＰａｄ（登録商標）／Ａｎｄｒｏｉｄなどのモバイル用のコンピューター設備を介して、リスク管理文書を完成させるための能力。これには、開始前（プレスタート）のチェックリスト、ジョブ安全評価（ＪＳＡ）、テイク５、許可などが含まれる。
２．以下のものについてアクセスおよび評価すること
ａ）担当者の資格
ｂ）物質安全データシート（一般に「ＭＳＤＳ」）
ｃ）ログブック
ｄ）設備のリスク評価
ｅ）ジョブの方法の記述／ノート／写真など
ｆ）会社の手順
ｇ）会社のリスク警告
３．以下のように最前線の従業員を従事させるツール
ａ）監視する従業員によって入力および管理されている方法ステップ、タスク、リスクおよび制御のリストを考慮するように、最前線の従業員に促す。最前線の従業員は、リストの各々に任意の「他の」項目を追加することもでき、そのような追加は、自動的に監視する従業員に報告される。
ｂ）最前線の従業員が、任意の関連する適切な方法ステップ、タスク、リスクおよび制御を検索し、選択することを可能にする。
ｃ）残存リスクを評価する。
ｄ）各アップロードに対して「スコア」を提供する。
ｉ）勤務評価および報酬に関連し得る従業員スコアの記録を保持する。
ｉｉ）全社のリーダーの掲示板を生成する
ｅ）毎月の（たとえば、危険にスポットを当てた）競争およびリスク改善案についての（金銭的な利益を伴う）オンラインフォーラムを提供する
４．リスク情報の適時性と正確性の改善
ａ）各アクセス／アップロードの時間および場所を追跡するＧＰＳ
ｂ）最前線の従業員が、制御が実施される前に作業を開始することを防止すること（たとえば、開始前のタイムスタンプは、設備の移動のタイムスタンプ、または設備にログオンした時間より前でなければならない）
ｃ）ＧＰＳおよびタイムスタンプのデータと、インシデント調査、コンプライアンス監査、顧客の請求書との相互参照を行うこと
５．様々な要因にわたる安全思考の変化を含む、リアルタイムの健康および安全のデータのデータベースを生成する能力
６．監視する従業員が、データの統計分析および他の分析を完了させて、リスクインシデントのパターンおよび「先行指標」を識別することを可能にすること
【００１０】
本発明の一態様によれば、
プロセッサー、メモリー、ネットワークインターフェースおよびタッチ表示画面を含むモバイルコンピューター装置上のリスク管理のための情報を提供する方法が開示され、当該方法は、
プロセッサーにおいて、ネットワークインターフェースを介して、許可を識別する第１の情報、計画を識別する第２の情報、リスク評価を識別する第３の情報、および設備を識別する第４の情報を作業現場において受信するステップと、
タッチ表示画面上に、許可を識別する第１の情報、計画を識別する第２の情報、リスク評価を識別する第３の情報、および設備を識別する第４の情報を表示するステップと、
表示された許可を識別する第１の情報、計画を識別する第２の情報、リスク評価を識別する第３の情報、および設備を識別する第４の情報の近位のタッチ表示画面上のタッチによってそれぞれ許可、計画、リスク評価、および設備に関するデータへのアクセスを提供するステップと、
表示されたリスク評価を識別する第３の情報の近位のタッチ信号を受信すると、ジョブ安全評価識別子を識別する１つ以上の第５の情報を表示するステップと、
表示されたジョブ安全評価識別子を識別する１つ以上の第５の情報の近位のタッチ表示画面上のタッチ信号を受信すると、特定のジョブ安全評価識別子について関連する許可、計画および設備に関するデータへのアクセスを提供するステップとを含む。
【００１１】
また、プロセッサー、メモリー、ネットワークインターフェース、およびタッチ表示画面を含むモバイルコンピューター装置上で実行されるリスク管理のための情報を提供する方法およびシステムが開示され、当該方法は、
処理期間を特定する情報を示すアイコンを表示するステップと、
表示されたアイコンの近位のタッチ表示画面上のタッチ信号を受信すると、ログクエリを識別する１つ以上の情報を受信してタッチ表示画面上に表示するステップと、
ログクエリを識別する１つ以上の表示された情報の近位のタッチ信号を受信すると、受信されたタッチ信号に関連する１つ以上のデータをリモートサーバーに送信するステップと、
リモートサーバーがログ形式を有する文書にログクエリを識別する１つ以上の表示された情報の近位の受信されたタッチ信号に関連する１つ以上のデータを自動生成する処理を提供するステップと、
ログ形式の文書を格納するステップとを含む。
【００１２】
また、プロセッサー、メモリー、ネットワークインターフェース、およびタッチ表示画面を含むモバイルコンピューター装置上で実行されるリスク管理のための情報を提供する方法およびシステムが開示され、当該方法は、
プロセッサーにおいて、ネットワークインターフェースを介して、許可を識別する情報を受信するステップと、
タッチ表示画面上に、許可を識別する情報を表示するステップと、
許可を識別する表示された情報の近位のタッチ信号を受信するステップと、
許可を識別する情報の近位のタッチ表示画面上のタッチ信号を受信すると、特定の許可を識別する１つ以上の情報を受信してタッチ表示画面に表示するステップとを含み、特定の許可を識別する情報は、許可が有効であるか否かまたは許可が失効しているか否かを示す表示を含む。
【００１３】
また、開示される方法およびシステムは、ＧＰＳ追跡を含み、
離れた場所において、ＧＰＳを介してコンピューターの位置を追跡するステップと、
離れた場所において、コンピューターの位置におけるジョブに関連する許可が失効したか否かを処理するステップと、
コンピューターの位置に関連する許可が失効した場合、コンピューターへの配信のための通知を送信するステップとを含む。
【００１４】
本発明の他の実施形態によれば、ポータブル装置を所有している人物によって実行されるジョブを選択するステップと、
ジョブに関連する情報であって、ジョブのために必要な許可、ジョブの実行のための計画、ジョブに関連するリスク、ジョブに関連して使用される設備を有する情報をポータブル装置にダウンロードするステップと、
ジョブに必要とされる許可に関する情報、ジョブの実行の計画に関する情報、ジョブに関連するリスクに関する情報、ジョブに関して使用される設備に関する情報それぞれの一つの選択のための対応する表示を表示するステップと、
表示のうちの１つの選択を受信するステップと、
受信した選択に従ってダウンロードされた情報の少なくとも一部を表示するステップと、
人物によるジョブの実行に関して表示された情報の使用に関連するポータブル装置への入力を受信するステップと、
人物によるジョブの実行に関する表示された情報の使用の記録を記憶できるように入力をアップロードするステップと、
を含む方法が開示される。
【００１５】
本発明の他の態様によれば、
ポータブル装置を所有している人物によって実行されるジョブを選択するステップと、
ジョブに関連する情報であって、ジョブのために必要な許可、ジョブの実行のための計画、ジョブに関連するリスク、ジョブに関連して使用される設備を有する情報をポータブル装置にダウンロードするステップと、
ジョブに必要とされる許可に関する情報、ジョブの実行の計画に関する情報、ジョブに関連するリスクに関する情報、ジョブに関して使用される設備に関する情報それぞれの一つの選択のための対応する表示を表示するステップと、
表示のうちの１つの選択を受信するステップと、
受信した選択に従ってダウンロードされた情報の少なくとも一部を表示するステップと、
人物によるジョブの実行に関して表示された情報の使用に関連するポータブル装置への入力を受信するステップと、
人物によるジョブの実行に関する表示された情報の使用の記録を記憶できるように入力をアップロードするステップと、
を実行するように構成されるプロセッサーを有するポータブル装置が開示される。
【００１６】
一実施形態では、ジョブの選択は、ジョブの種類の選択を含む。ジョブの種類は、ジョブの種類に応じて、利用可能な情報のライブラリーからダウンロードされる情報を予め選択している。
【００１７】
一実施形態では、情報は、ジョブの種類のジョブが実行されるときに完成される書式からの情報を含み、入力は、ジョブの種類のジョブが実行されようとするときまたは完了したときに書式上で完成される情報である。
【００１８】
一実施形態では、情報は、表示された情報について受信された入力に従ってジョブを実行することが許可されているか否かをユーザーに示すようにポータブル装置によって実行されうる１つ以上のチェックを含む。このように、たとえば、特定のジョブについて全ての安全確認が行われ、安全確認が設備に入力されて確認されるまで、人物はジョブを実行することが許可されない。また、入力のアップロードは、コンプライアンスの監視を可能にする。
【００１９】
本発明の他の態様によれば、
ポータブル装置を所有している人物によって実行されるジョブを選択し、
ジョブに関連する情報であって、ジョブのために必要な許可、ジョブの実行のための計画、ジョブに関連するリスク、ジョブに関連して使用される設備を有する情報をポータブル装置にダウンロードし、
ジョブに必要とされる許可に関する情報、ジョブの実行の計画に関する情報、ジョブに関連するリスクに関する情報、ジョブに関して使用される設備に関する情報それぞれの一つの選択のための対応する表示を表示し、
表示のうちの１つの選択を受信し、
受信した選択に従ってダウンロードされた情報の少なくとも一部を表示し、
人物によるジョブの実行に関して表示された情報の使用に関連するポータブル装置への入力を受信し、
人物によるジョブの実行に関する表示された情報の使用の記録を記憶できるように入力をアップロードするように構成されるプロセッサーを有するシステムが開示される。
一実施形態では、プロセッサーはさらに、
選択のために一つ以上のアクションをユーザーに提供し、
アクションのうちの一つの選択を受信し、
当該選択を送信するように構成されるように構成され、ここで、当該選択の送信は、選択されたアクションを開始させ、当該選択されたアクションが完了するまで、他のユーザーによる当該選択されたアクションに関連する一つ以上のアクションの選択をブロックする。
一実施形態では、プロセッサーはさらに、
通常は選択可能な一つ以上のアクションをユーザーに提供し、
関連するアクションが開始される際、遠隔システムからブロック通信を
受信し、
関連するアクションが完了するまで、アクションのうちの少なくとも一つの選択をブロックし、
関連するアクションが完了したことを示すアンブロック通信を受信した後、アクションのうちの一つの選択を可能にするように構成される。
【００２０】
一実施形態では、システムは、ジョブによって階層的に構造化されたデータベースを含み、各ジョブ内には、ジョブの実行のための組織構造およびジョブの実行のためのタスク構造に関するフィールドが存在する。一実施形態では、組織構造は、手順、リスク限度、担当者、化学物質、設備およびリストに関する情報の１つ以上を含む。一実施形態では、リストは、方法のステップ、タスク、リスクおよび制御のうちの１つ以上を含む。一実施形態では、ジョブ構造は、ジョブの詳細、クライアントの詳細、ジョブの役割、計画／仕様、およびリスク警告のうちの１つ以上を含む。
【００２１】
一実施形態では、データベースは、通信の記録をさらに含む。一実施形態では、通信は、会議、報告、完成された書式および警告のうちの一つ以上をさらに含む。一実施形態では、完成された書式は、許可、計画、設備およびリスク評価のうちの一つ以上を含む。
【００２２】
一実施形態では、データベースは、関係者がデータベースを生成、編集、およびデータベースにアクセスするための許可をさらに含む。一実施形態では、許可は、関係者が監視する従業員、プロジェクトマネージャー、現場監督または現場担当者であるかどうかに応じて設定される。一実施形態では、いくつかの許可は、許可は、関係者が、許可に関連して作業する許可の発行者、許可の保有者、現場担当者であるか、監視する従業員、プロジェクトマネージャー、現場監督であるかによって設定される。
【００２３】
一実施形態において、現場担当者は、モバイルアプリケーションを介して本発明にアクセスする。一実施形態では、現場監督は、モバイルアプリケーションを介して本発明にアクセスする。一実施形態では、プロジェクトマネージャーは、モバイルアプリケーションおよび／またはパーソナルコンピューターを介して本発明にアクセスする。一実施形態では、監視員は、モバイルアプリケーションおよび／またはパーソナルコンピューターを介して本発明にアクセスする。
【００２４】
一実施形態では、プロジェクトマネージャーは、ジョブの要求を達成するために、計画を決めて割り当てるための許可を有する。一実施形態では、全ての関係者が、計画を閲覧できる。
【００２５】
一実施形態では、特定の関係者（適切な資格を有する）は、許可を生成し、当該許可の下で作業を行うことを現場の担当者に許可するための許可を有する。一実施形態では、特定の関係者は、許可を保持する資格があり、許可の条件を満たす責任がある許可の保持者を割り当てるための許可を有する。一実施形態では、プロジェクトマネージャーおよび現場監督は、自身に責任があるジョブに関して発行された許可を見るための許可を有する。一実施形態では、特定の関係者は、資格のある他の許可の発行者と許可を共有できる。一実施形態では、許可の保有者は、自身に割り当てられた許可を見て承諾するための許可を有する。一実施形態では、現場の担当者は、許可の下で作業を見て承諾する許可を有する。一実施形態では、許可の保持者は、移転が承諾された場合、資格のある他の許可の保持者に許可を移転するための許可を有する。一実施形態では、許可の保持者は、許可の下で作業を行う他の担当者を追加するための許可を有する。
【００２６】
一実施形態では、プロジェクトマネージャーは、ジョブ安全評価（ＪＳＡ）を生成するための許可を有する。一実施形態では、現場の担当者は、ＪＳＡへの変更を承諾または提案するための許可を有する。
【００２７】
一実施形態では、全ての関係者は、開始前のチェックリストを完成させるための許可を有する。一実施形態では、チェックリストが規定される。一実施形態では、現場監督およびプロジェクトマネージャーは、全ての完成された開始前のチェックリストを閲覧できる。
【００２８】
開始前のチェックリストが上手く完成していない実施形態では、システムは、失敗したチェックリストに関する警告を発生させるように構成される。
【００２９】
一実施形態では、現場の担当者は、迅速なリスク評価を生成するための許可を有する。一実施形態では、現場監督およびプロジェクトマネージャーは、全ての完成された迅速なリスク評価を閲覧できる。
【００３０】
迅速なリスク評価が上手く完成していない実施形態では、システムは、失敗した迅速なリスク評価に関して警告を発生させるように構成される。
【００３１】
一実施形態では、監視員は、登録簿を生成するための許可を有する。一実施形態では、他の関係者は、登録簿を見るための許可を有する。
【００３２】
一実施形態では、監視員およびプロジェクトマネージャーは、ジョブに関する全ての関係者に対して警告を発生させるための許可を有する。
【００３３】
一実施形態では、本社の社員は、ハザード報告またはインシデント報告を生成するための許可を有する。一実施形態では、ユーザーは、報告にアクセスするための許可を有する。
【００３４】
一実施形態では、システムは、ホーム画面上での選択のために、ポータブル装置上に４つの主要なアイコンを表示するように構成され、当該アイコンは、許可、計画、設備またはリスク評価をそれぞれ示す。一実施形態では、情報の閲覧、およびこれらのうちの一つに関する情報の入力は、階層的に表示または受信される。一実施形態では、これらの種類の情報に関する一つ以上の書式を完成させるために、これらの見出しの下にメニューオプションが示され、ある画面から次の画面への連続的な進行が行われる。
【００３５】
一実施形態では、システムは、通信ツールへのアクセスを可能にする通信アイコンをホーム画面上に提供するように構成される。一実施形態では、通信アイコンは、通信が関係者の注意をいつ必要としているかも示す。
【００３６】
一実施形態では、ポータブル装置は、ネットワーク通信が切断された後に再構築された場合、データをシステムデータベースに同期させるように構成される。
【００３７】
一実施形態では、ポータブル装置は、検索可能および拡張可能な情報のリストによって構成される。
【００３８】
一実施形態では、システムは、入力されたデータをログに記録し、次いで、書式の完成をタスクの開始および完了と一致させて、安全のプロトコルの遵守を保証するように構成される。一実施形態では、ログは、タイムスタンプを含む。一実施形態では、ログは、位置記録を含む。一実施形態では、ログは、バーコードスキャンまたはベアフィールド装置スキャンを含む他の入力を含む。
【００３９】
一実施形態では、システムは、許可または計画または他の要件のうちの１つ以上の有効期間をテストし、現在時間が有効期間内でない場合に警告を生成するように構成される。
【００４０】
一実施形態では、システムは、許可または計画または他の要件のうちの１つ以上の有効な地域の適用可能性をテストし、それぞれの許可、計画またはその他の要件を要求する動作が開始されるときに現在の場所が有効な地域内でない場合に警告を生成するように構成される。
【００４１】
一実施形態では、システムは、許可を発行しようとする関係者の記録、および許可が発行される予定の関係者の記録に対する許可の発行の要件をチェックするように構成され、要件が満たされない場合には、要件が満たされていない旨の警告を発するように構成される。一実施形態では、システムは、許可の要件が満たされない場合、許可を発行できないように構成される。
【００４２】
一実施形態では、システムは、ＪＳＡが生成されているアクティビティにおける方法のステップの選択を受信すること、選択された方法のステップに適用可能なリスクの選択を受信すること、選択されたリスクを緩和するための制御を受信すること、選択されたリスクの各々についてリスク格付けの選択を受信すること、ＪＳＡが適用される１人以上の担当者の選択を受信することによってＪＳＡを生成するように構成される。
【００４３】
一実施形態では、方法のステップは、所定の方法のステップのリストから選択できてもよい。一実施形態では、リスクは、所定のリスクのリストから選択できてもよい。一実施形態では、制御は、所定の制御のリストから選択できてもよい。一実施形態では、リスク格付けは、所定のリスク格付けマトリックスから選択できてもよい。一実施形態では、担当者は、ＪＳＡが生成されているジョブに割り当てられた所定の担当者リストから選択されてもよい。
【００４４】
一実施形態では、選択された担当者の各々には、ＪＳＡの承認を要求するメッセージが送信される。
【００４５】
一実施形態では、システムは、実行されるタスクの選択を受信し、選択されたタスクに適用可能な可能性のあるリスクの選択を受信し、選択された可能性のあるリスクを緩和するための制御の選択を受信することによってリスク評価を生成するように構成される。
【００４６】
一実施形態では、タスクは、所定のタスクのリストから選択されてもよい。一実施形態では、可能性のあるリスクは、所定の可能性のあるリスクのリストから選択されてもよい。一実施形態では、制御は、所定の制御のリストから選択されてもよい。
【００４７】
一実施形態では、システムは、設備のアイテムの使用前に実行されるチェック（プレスタート）に関する情報を表示し、チェックされる設備のアイテムの各部分のチェックボックスを提供し、部分がチェックされたときに選択を受信し、チェックリストが正常に完了するまでアイテムが使用不能であるというメッセージを表示するように構成される。一実施形態では、チェックリスト内のアイテムがプレスタートのチェックの失敗として選択された場合、システムは警告を生成するように構成される。一実施形態では、設備のアイテムは、修理または交換されるまで、データベースにおいて故障中としてフラグが設定される。
【００４８】
一実施形態では、プレスタートは、バーコードスキャン、シリアル番号の入力を含む手段によって設備のアイテムを識別する。
【００４９】
一実施形態では、システムは、検査される設備もしくは部分のアイテムに関する情報、または部分の検査方法を表示するように構成される。
【００５０】
一実施形態では、ジョブへの割り当ては、モバイル装置を有しているどの関係者が存在すべきでないかまたは進入すべきでないかに関してデータベースから情報を検索することによってジオフェンスの生成の契機となり、モバイル装置はジオフェンスに対する位置を確認し、ジオフェンスと交差したときに警告を生成する。
【００５１】
本発明の他の態様によれば、
ポータブル装置への通信チャネルと、
ポータブル装置を所有する人物によって実行されるジョブの選択を受信するように構成されるプロセッサーと、
ここで、プロセッサーは、選択されたジョブに関する情報を検索してポータブル装置に送信するように構成され、情報は、ジョブに必要な許可、ジョブの実行のための計画、ジョブに関連するリスク、ジョブに関して使用される設備を含み、
情報は、ポータブル装置において適切に表示され、
ここで、通信チャネルは、人物によるジョブの実行に関する表示された情報の使用に関連してポータブル装置によって受信された入力をポータブル装置から受信するように構成され、
人物によるジョブの実行に関連する表示された情報の使用の記録を記憶するためのストレージと、
を有するシステムが開示される。
本発明の他の態様によれば、モバイルコンピューター装置のユーザーに文書を提供する方法が開示され、当該方法は、
モバイル装置のユーザーを識別するステップと、
ユーザーが割り当てられた一つ以上のジョブをデータリポジトリから受信するステップと、
受信されたジョブからジョブを選択するステップと、
選択されたジョブに関する識別されたユーザーの役割をデータリポジトリから受信するステップと、
文書の種類を選択するステップと、
選択されたジョブおよび選択された文書の種類に応じて、選択された文書の種類のテンプレートをデータリポジトリから検索するステップと、
テンプレートの文書をユーザーに表示するステップと、
選択のために一つ以上のアクションをユーザーに提供するステップと、
アクションのうちの一つの選択を受信するステップと、
当該選択を送信するステップとを含み、ここで、当該選択の送信は、選択されたアクションを開始させる。
【図面の簡単な説明】
【００５２】
より良い理解を提供するために、添付の図面を参照して、本発明の実施形態を単なる例として説明する。
【図１】ホーム画面の一実施形態を示すフローチャートであり、システムおよび方法において四つの異なる機能がシステムおよび方法においてどこに繋がるかを示す図である。
【図２】開示されたシステムおよび方法の実施形態を示すフローチャートである。
【図３】開示されたシステムおよび方法の実施形態を示すフローチャートである。
【図４】開示されたシステムおよび方法の実施形態を示すフローチャートである。
【図５】開示されたシステムおよび方法の実施形態を示すフローチャートである。
【図６】開示されたシステムおよび方法の実施形態を示すフローチャートである。
【図７】開示されたシステムおよび方法の実施形態を示すフローチャートである。
【図８】開示されたシステムおよび方法の実施形態を示すフローチャートである。
【図９】開示されたシステムおよび方法の実施形態を示すフローチャートである。
【図１０】開示されたシステムおよび方法の実施形態を示すフローチャートである。
【図１１】開示されたシステムおよび方法の実施形態を示すフローチャートである。
【図１２】開示されたシステムおよび方法の実施形態を示すフローチャートである。
【図１３】開示されたシステムおよび方法の実施形態を示すフローチャートである。
【図１４】関係者の間の書類の流れの実施形態を示す図である。
【図１５】図１の例に示されたメインページ、許可ページ、評価ページおよび設備ページのスクリーンショットを示す図である。
【図１６】図１の例に示されたメインページ、許可ページ、評価ページおよび設備ページのスクリーンショットを示す図である。
【図１７】図１の例に示されたメインページ、許可ページ、評価ページおよび設備ページのスクリーンショットを示す図である。
【図１８】図１の例に示されたメインページ、許可ページ、評価ページおよび設備ページのスクリーンショットを示す図である。
【図１９】図１の例に示されたメインページ、許可ページ、評価ページおよび設備ページのスクリーンショットを示す図である。
【図２０】図１の例に示されたメインページ、許可ページ、評価ページおよび設備ページのスクリーンショットを示す図である。
【図２１】図１の例に示されたメインページ、許可ページ、評価ページおよび設備ページのスクリーンショットを示す図である。
【図２２】図１の例に示されたメインページ、許可ページ、評価ページおよび設備ページのスクリーンショットを示す図である。
【図２３】図１の例に示されたメインページ、許可ページ、評価ページおよび設備ページのスクリーンショットを示す図である。
【図２４】図１の例に示されたメインページ、許可ページ、評価ページおよび設備ページのスクリーンショットを示す図である。
【図２５】図１の例に示されたメインページ、許可ページ、評価ページおよび設備ページのスクリーンショットを示す図である。
【図２６】図１の例に示されたメインページ、許可ページ、評価ページおよび設備ページのスクリーンショットを示す図である。
【図２７】図１の例に示されたメインページ、許可ページ、評価ページおよび設備ページのスクリーンショットを示す図である。
【図２８】図１の例に示されたメインページ、許可ページ、評価ページおよび設備ページのスクリーンショットを示す図である。
【図２９】図１の例に示されたメインページ、許可ページ、評価ページおよび設備ページのスクリーンショットを示す図である。
【図３０】図１の例に示されたメインページ、許可ページ、評価ページおよび設備ページのスクリーンショットを示す図である。
【図３１】図１の例に示されたメインページ、許可ページ、評価ページおよび設備ページのスクリーンショットを示す図である。
【図３２】図１の例に示されたメインページ、許可ページ、評価ページおよび設備ページのスクリーンショットを示す図である。
【図３３】図１の例に示されたメインページ、許可ページ、評価ページおよび設備ページのスクリーンショットを示す図である。
【図３４】図１の例に示されたメインページ、許可ページ、評価ページおよび設備ページのスクリーンショットを示す図である。
【図３５】図１の例に示されたメインページ、許可ページ、評価ページおよび設備ページのスクリーンショットを示す図である。
【図３６】図１の例に示されたメインページ、許可ページ、評価ページおよび設備ページのスクリーンショットを示す図である。
【図３７】図１の例に示されたメインページ、許可ページ、評価ページおよび設備ページのスクリーンショットを示す図である。
【図３８】図１の例に示されたメインページ、許可ページ、評価ページおよび設備ページのスクリーンショットを示す図である。
【図３９】図１の例に示されたメインページ、許可ページ、評価ページおよび設備ページのスクリーンショットを示す図である。
【図４０】図１の例に示されたメインページ、許可ページ、評価ページおよび設備ページのスクリーンショットを示す図である。
【図４１】図１の例に示されたメインページ、許可ページ、評価ページおよび設備ページのスクリーンショットを示す図である。
【図４２】図１の例に示されたメインページ、許可ページ、評価ページおよび設備ページのスクリーンショットを示す図である。
【図４３】図１の例に示されたメインページ、許可ページ、評価ページおよび設備ページのスクリーンショットを示す図である。
【図４４】図１の例に示されたメインページ、許可ページ、評価ページおよび設備ページのスクリーンショットを示す図である。
【図４５】図１の例に示されたメインページ、許可ページ、評価ページおよび設備ページのスクリーンショットを示す図である。
【図４６】図１の例に示されたメインページ、許可ページ、評価ページおよび設備ページのスクリーンショットを示す図である。
【図４７】図１の例に示されたメインページ、許可ページ、評価ページおよび設備ページのスクリーンショットを示す図である。
【図４８】図１の例に示されたメインページ、許可ページ、評価ページおよび設備ページのスクリーンショットを示す図である。
【図４９】図１の例に示されたメインページ、許可ページ、評価ページおよび設備ページのスクリーンショットを示す図である。
【図５０】図１の例に示されたメインページ、許可ページ、評価ページおよび設備ページのスクリーンショットを示す図である。
【図５１】図１の例に示されたメインページ、許可ページ、評価ページおよび設備ページのスクリーンショットを示す図である。
【図５２】図１の例に示されたメインページ、許可ページ、評価ページおよび設備ページのスクリーンショットを示す図である。
【図５３】図１の例に示されたメインページ、許可ページ、評価ページおよび設備ページのスクリーンショットを示す図である。
【図５４】図１の例に示されたメインページ、許可ページ、評価ページおよび設備ページのスクリーンショットを示す図である。
【図５５】図１の例に示されたメインページ、許可ページ、評価ページおよび設備ページのスクリーンショットを示す図である。
【図５６】図１の例に示されたメインページ、許可ページ、評価ページおよび設備ページのスクリーンショットを示す図である。
【図５７】本発明の一実施形態に係るシステムの概略ブロック図である。
【図５８】本発明の一実施形態に係るポータブル装置の概略ブロック図である。
【図５９】本発明の一実施形態に係るデータベースの相関図である。
【発明を実施するための形態】
【００５３】
本開示は、本発明に係る様々な実施形態を作り出し、使用する最良の形態を可能な方法で説明するために提供される。本開示はさらに、本発明を如何なる方法で限定するものではなく、本発明の原理および利点についての理解および認識を高めるために提供される。本発明の好ましい実施形態は、本明細書において図示され説明されているが、本発明がそのように限定されないことは明らかである。添付した特許請求の範囲によって定められる本発明の思想および範囲から逸脱することなく、本開示の利益を受ける当業者には、数多くの修正、変更、変形、置換および同等物が思い浮かぶであろう。
【００５４】
第１および第２、上下などのような関係語の使用は、単に他の対象または動作と互いに区別するために使用され、そのような対象または動作の間におけるそのような実際の関係または順序を必ずしも要求または暗示することがないということが理解される。
【００５５】
発明の機能の多くおよび発明の原理の多くは、ソフトウェアプログラムまたは命令および特定用途向けＩＣなどの集積回路（ＩＣ）を用いて、またはそれらにおいて最もよく実行される。簡潔にするため、および本発明に係る原理および概念を不明瞭にするリスクの最小化のため、そのようなソフトウェアおよびＩＣの考察がある場合には、好ましい実施形態における原理および概念に関する本質的要素に限定される。
【００５６】
現場におけるリスク管理のための情報を提供および受信する方法およびシステムが開示され、より詳細には、許可、計画、リスク評価および設備の情報、自動入力文書にアクセスし、許可の可用性および位置に基づく通知を受信する方法およびシステムが開示される。上述したように、開示されたシステムおよび方法は、現場ベースの担当者が自身の業務に関連するリスクを管理することを可能にする。コンプライアンスの監視が、（たとえば、ＧＰＳおよび時間追跡動作によって）改善される。
【００５７】
現場のオペレーターのための他のツールは、以下のものを提供する全体的な構造およびナビゲーション方法によって提供される。
ａ）リスク制御の効果的な選択および実施
ｂ）たとえばログを自動入力することによる、リスク書類の生成の適時かつ効率的な完成
以下の開示された構造ならびにナビゲーションシステムおよび方法は、ナビゲーション、自動入力、許可および計画の状況に関する警告、設備の開始前の視覚的な手がかり、データベースタップ、リアルタイム自動警告、設備の多用の確認、設備のタグ付け自動リマインダーおよびペイント色の置換のための処理を含む。
【００５８】
アクション（合意や署名など）を必要とする各文書は、ユーザーがアクションを実行できるようにするためのアクションボタンを有する。実行されるアクションは、文書の状態、ならびに文書およびジョブに関してユーザーが有する役割に応じて適合される。アクションが実行されると、アクションの前に文書のコピーが保存され、新しい文書が生成される。他の要件が保留されている間は、文書をロックできる。例えば、許可がある保有者からある保有者に移動される場合、現場担当者は許可を受け入れることも許可をクローズすることもできない。
【００５９】
使用される用語の定義は、組み込まれた参照と共に提供される。たとえば、リスクが選択され、定義および他の情報が説明される。
【００６０】
一実施形態では、本発明のツールは、スマートフォンなどのモバイルコンピューター設備上で動作するアプリケーションを介して提供される。スマートフォンは、プロセッサー、メモリー、タッチ画面の形態における入力装置でもあるディスプレー画面、およびネットワーク通信装置を備えるモバイルコンピューター設備であることが知られている。典型的には、スマートフォンには、メモリーに記憶され、プロセッサーによって実行されるとアプリケーションを形成するコンピュータプログラムがロードされる。他の言い方をすれば、コンピュータプログラムは、本発明の一態様に係るシステムとしてのポータブル装置を構成するように、プロセッサーを制御するための命令を含む。コンピュータプログラムの命令が実行されると、ポータブル装置は、本発明の他の態様に係る方法を実行する。
【００６１】
本発明は、多くの方法によって実施されうることが理解される。本発明を実施する一つの方法は、以下に説明する実施形態による。
【００６２】
一実施形態では、ツールの一態様は、限定的でなく、ラップトップまたはデスクトップパーソナルコンピューターなどの、より一般的なコンピューティング装置上で提供される。パーソナルコンピューターという用語は、ポータブルコンピューティング装置上に実装できるものとして限定することを意図するものではないが、オフィス環境で使用される場合には、サイズ、重量および携帯性がより一般的に限定されない。後述するように、本発明のいくつかの態様は現場で実装する必要はない。そのような実装は、パーソナルコンピューターにインストールされたソフトウェアによって提供することができ、またはパーソナルコンピューターにインストールされたブラウザを介して、パーソナルコンピューターからアクセス可能な遠隔地にあるソフトウェアによって実装できる。このような実装は、一般に、サービスモデルとしてのソフトウェア（ＳａａＳ）または「クラウド」内のソフトウェアと称される。
【００６３】
図５７を参照すると、本発明の一実施形態によるシステム１０００が示されており、システム１０００は、プロセッサー１００２、データベース１００４、メモリー／ストレージ１００８、（インターネットなどの）コンピュータネットワーク１０１２に接続されたネットワークインターフェース１０１０を備える。ネットワーク１０１２は、複数のモバイルコンピューター装置１０２０、１０２２および１０２４に接続する携帯電話ネットワーク１０１４（または他のワイヤレスネットワーク）を含む。また、ネットワーク１０１２は、パーソナルコンピューター１０３０に接続する。
【００６４】
プロセッサー１００２上では、モバイルユーザーアプリケーションインターフェース１０４０およびバックエンドユーザーアプリケーション１０４２が実行される。モバイルユーザーアプリケーションインターフェース１０４０は、ネットワークインターフェース１０１０、ネットワーク１０１２および１０１４を介して、通信チャネル１０５２によって、ポータブル装置１０２０、１０２２および１０２４と連結する。通信チャネルは、携帯電話ネットワーク１０１４への通信１０５４と、基地局とポータブル装置１０２０、１０２２および１０２４との間の無線通信１０５６とを含む。バックエンドユーザーアプリケーション１０４２は、ネットワーク１０１２を介して、パーソナルコンピューター１０３０への通信チャネル１０５０を有する。
【００６５】
パーソナルコンピューター１０３０は、オフサイト担当者に本発明へのアクセスを与える。一方、モバイルユーザーアプリケーションインターフェース１０４０は、パーソナル装置１０２０、１０２２および１０２４のオンサイトユーザーに本発明へのアクセスを与える。モバイルユーザーアプリケーション１０４０は、通信チャネル１０５６によってバックエンドユーザーアプリケーション１０４２と交信し、情報を交換できる。
【００６６】
図５８を参照すると、各パーソナルコンピューター設備１０２０、１０２２および１０２４は、構成要素１１００を備える。これらの構成要素１１００は、プロセッサー１１０２、メモリー／ストレージ１１０４、ネットワークインターフェース１１０６、典型的には要素１１０８および１１１０を組み合わせたタッチ画面である画面１１１０およびタッチ入力１１０８を備える。
【００６７】
プロセッサー１１０２上では、ネットワークインターフェース１１０６およびアンテナ１１１２によって、無線通信１１３４による携帯電話ネットワークと通信するモバイルユーザーアプリケーション１１２０が実行される。携帯電話ネットワークの代わりに、Ｗｉ−Ｆｉネットワークまたは他の無線ネットワークが使用されてもよい。モバイルユーザーアプリケーションインターフェース１０４０は、通信チャネル１１３０によって、モバイルユーザーアプリケーション１１２０と通信できる。モバイルユーザーアプリケーション１１２０は、通信チャネル１１３２を介して、データを記憶できる。
【００６８】
一実施形態では、データベース１００４は、図５９に示すように構成され、ジョブライブラリー１２１０の形態である。ジョブライブラリー１２１０は、組織データベース１２１２およびジョブデータベース１２１４を含む。組織データベース１２１２は、手順１２２０、リスク制限１２２２、担当者１２２４、化学物質１２２６および設備１２２８を含む。また、組織データベース１２１２は、たとえば、方法ステップ、タスク、リスクおよび制御などのリスト１２３０も含む。ジョブデータベース１２１４は、ジョブの詳細１２４０、クライアントの詳細１２４２、ジョブの役割１２４４、計画／仕様１２４６およびリスク警告１２４８を含む。また、ジョブライブラリー１２１０は、会議および報告、許可、計画、設備およびリスク評価を含む完成された書類１２８０を含む、記憶された通信１２７０を含む。ジョブライブラリー１２１０は、プロジェクトマネージャー、現場監督および現場オペレーターを含む関係者による、ジョブライブラリーを閲覧するための質問（ｑｕｅｒｙ）１２６０を生成することによって、閲覧されうる。
【００６９】
図１４を参照すると、本発明は、本発明を使用する関係者によるリスク評価の表示を容易にし、これらの関係者は、監視員１３０２、プロジェクトマネージャー１３０４、現場監督１３０６および現場オペレーター１３０８を含む。監視員は、通常、会社の本社にいる。図１４は、これらの関係者が情報を伝達し、リスク評価を提供できるスキーマ１３００を示す。スキーマ１３００は、これらの関係者が割り当てられたジョブのコンテキストにおいて提供される。このジョブには、１人以上の監視員１３０２、１人以上のプロジェクトマネージャー１３０４、１人以上の現場監督１３０６、および１人以上の現場オペレーター１３０８が割り当てられる。
【００７０】
プロジェクトマネージャー１３０４は、パーソナルコンピューター１０３０またはポータブル装置１０２０、１０２２または１０２４のうちの１つを使用して、ジョブ要件を達成するための計画１３２０を定義および割り当てることができる。既知の種類のジョブについては、特定のジョブ要件に合わせて調整できるが、その種類のジョブのそれぞれの間で計画が比較的一貫しうる。また、ジョブ要件に応じて個別に計画を立てることもできる。指定された場合、計画はその特定のジョブについてデータベース１００４にロードされ、そのジョブに割り当てられた全ての関係者によってアクセスされうる。
【００７１】
監視員１３０２は、どの現場監督がどの許可を発行することが承認されているかを指定できる。承認された現場監督は、許可１３４０を生成できる。いくつかの許可は、プロジェクトマネージャーまたは特定の許可の発行者による承認を必要とする。許可１３４０に変更が生じた場合、プロジェクトマネージャー１３０４に通知する必要がある。許可は、現場監督１３０６間で共有できる。ジョブの許可のように、いくつかの許可１３４０は、ジョブの終わりに更新（閉鎖）されなければならない。いくつかの許可１３４０は、条件が変化したときに更新されなければならない。許可１３４０は、プロジェクトマネージャー１３０４、現場監督１３０６および現場オペレーター１３０８と共有することができ、その後、プロジェクトマネージャー１３０４、現場監督１３０６および現場オペレーター１３０８は許可を受け入れる必要がある。一般に、許可は、以下にさらに説明する長期許可または短期許可であってもよい。
【００７２】
現場監督１３０６は、ジョブ安全評価（ＪＳＡ）１３３０も生成できる。通常、ＪＳＡ１３３０は、現場で作業する全ての人、特に現場オペレーター１３０８によって受け入れられなければならない。ＪＳＡ１３３０は、現場で観察されたリスクを追加することを含め、更新されうる。ＪＳＡ１３３０が更新されると、それを受け入れた全ての担当者に更新情報が自動的に通知される。プロジェクトマネージャー１３０４は、ＪＳＡ１３３０のいかなる変更に対しても警告される。
【００７３】
プロジェクトマネージャー１３０４は、現場監督１３０６が実行できる全ての動作を実行できる。
【００７４】
現場オペレーター１３０８は、開始前チェックリスト（プレスタート）１３３４を生成できる。現場オペレーター１３０８は、自分自身のプレスタート１３３４のみにアクセスでき、これにより、それらを個人に適合させうる。現場監督１３０６およびプロジェクトマネージャー１３０４は、指定されたジョブのプレスタート１３３４の全てにアクセスできる。危険度の高いタスクの場合、開始前に提供されたチェックリストに従って何かが適切でない場合、現場の他の担当者に自動的に問題が警告される。
【００７５】
現場オペレーター１３０８は、テイク５と呼ばれる自身の迅速なリスク評価を取得できる。「テイク５」は、一般に以下のことを含み、１）作業領域を観察し、潜在的な問題またはリスクに焦点を当て、２）実行されるタスクをレビューし、３）リスクを特定し、４）リスクを管理し、５）作業を実施し、完了した作業と作業領域を評価する。現場オペレーター１３０８は、自分のテイク５にアクセスできるが、他の現場オペレーター１３０８は他人のテイク５にアクセスできない。現場監督１３０６およびプロジェクトマネージャー１３０４は、指定されたジョブの全てのテイク５にアクセスできる。
【００７６】
現場監督１３０６は、現場オペレーター１３０８の全ての機能を実行できる。
【００７７】
監視員１３０２は、登録簿１３２４を生成できる。登録簿１３２４は、パーソナルコンピューター１０３０からメモリー１１０４にアップロードされ、モバイルユーザーアプリケーション１１２０を使用してアクセス可能である。監視員１３０２およびプロジェクトマネージャー１３０４は、登録簿１３２４内で何かが変更され場合、警告される。
【００７８】
本社は、警告１３２２を生成でき、これは現場担当者１３０８に重要な情報を通知する必要がある場合である。警告１３２２は、アプリ１１２０にプッシュされ、人の注意を引き、警告１３２２の詳細を把握するために調査されるようにすることができる。現場オペレーター１３０８は、ハザードまたは事故報告１３５０を生成することもでき、それらは、ハザードが観察されたか、または事故が発生したことを特定し、これは、監視員１３０２がアクセス可能なパーソナルコンピューター１０３０上に表示するために、モバイル装置１０２０、１０２２および１０２４からモバイルユーザーアプリケーション１０４０、バックエンドアプリケーション１０４２にプッシュされることによってモバイルアプリケーション１１２０から本社に共有される。
【００７９】
システム１０００および方法１３００は、許可の承認の送信、リスク評価および許可の承認のレビューのための送信、所有権の許可の送信および転送、登録簿および計画へのアクセスを可能にするための全員への送信、ＪＳＡ、登録簿、許可の文書の更新に関するテイク５、ＪＳＡおよびプレスタートおよび通知へのアクセスを可能にするためのプロジェクトマネージャーおよび現場監督への送信を許可し、警告の送信を許可する。
【００８０】
図１を参照すると、パーソナル装置１０２０、１０２２または１０２４のうちの１つに対するアプリケーション１１２０の動作が概略的に示される。５において開始し、フィールド従業員（プロジェクトマネージャー、現場監督または現場オペレーターを含む）はログインし、彼らの識別が認識される。さらに、ジョブに割り当てられてもよい。同時に複数のジョブにおいて作業している場合、このコンテキストにおいて作業しているジョブを選択できる。
【００８１】
ジョブの選択に応じて、アプリケーション１１２０を介してデータベース１００４内でアクセス可能な情報が、ジョブに具体的に適合される。
【００８２】
ジョブの種類にかかわらず、情報の表示は一貫する。異なる種類の情報を表す４つの主要なアイコンを含むホーム画面１２が示される。ホーム画面１２から、モバイルコンピューティング装置のユーザーは、主要アイコンによって表される多数のツールにたどり着ける。最初のアイコンは許可に関する情報（左上隅）を表す。右上隅の次のアイコンは、計画に関する情報を表す。右下にある次のアイコンは、設備に関する情報を表す。左下の最後のアイコンは、リスク評価に関する情報を表す。
【００８３】
これらのアイコンの１つを選択することにより、アプリケーションのユーザーは、それぞれ許可１４、計画１６、設備１８、またはリスク評価２０を表す画面に移動する。
【００８４】
これらの画面１４、１６、１８または２０のそれぞれにおいて、モバイル装置のオペレーターは、許可、計画、設備またはリスク評価に特に関連する情報を提示される。そこから、人は他の選択を行い、他の装置の画面２４および２６またはリスク評価画面２２のような他の画面に移動する。ユーザーは、設定画面３０において設定にアクセスできる。これは、ユーザーに関する情報を提供し、ユーザーはこのメニューにおいて設定を変更できる。
【００８５】
ホーム画面１２は、図１５においてより詳細に示される。それは、メッセージアイコンにおいてテキストメッセージが表示を待っているときに携帯電話が示すのと同じように、表示を待っているメッセージがある場合に、モバイル装置の現場担当者ユーザー（現場オペレーター１３０８または現場監督１３０６など）に警告する右上隅のメッセージアイコン３１を含む。許可４２、計画４４、リスク評価４６および設備４８のアイコンが示される。後述するように、他の有用な情報５０への他のアクセスのためのマイナーアイコンも存在する。
【００８６】
本発明のメニュー間のナビゲーションは階層的である。選択が行われると、ユーザーは入力または表示される情報から選択できる階層内の次のレベルのメニューに移動する。メニュー内のアイテムの選択は、タッチ画面が動作する通常の方法でそれぞれの領域に触れることによって実行できる。データを入力するには、画面をタッチしてチェックボックス／ラジオボタンを選択するか、タイプしてテキストボックスにテキストを入力するか、または音声からのテキスト入力を使用してテキストボックスに情報を入力する。
【００８７】
情報は、検索可能なリストと拡張可能なリストを使用して、方法のステップ、タスク、リスク、および制御を識別する手がかり（プロンプト）を提供することによって、ユーザーの記憶を促す方法で提示される。たとえば、酸に関連する多くのリスクがある。それらは、酸への暴露、酸の吸入、酸の流出、酸の嚥下などを含む。ユーザーには、酸をキーとするリスクが提示され、これらのリスクに関する情報にアクセスできる。ユーザーは、そのリスクのカテゴリーに関連するリスクのリストを見ることができ、一貫した階層的な方法で特定のリスクに関する情報を選択できる。
【００８８】
管理者は、バックエンド情報にアクセスして、テンプレートや検索されたリスクのリストの管理、許可発行承認者を含む担当者の追加、手続き、資格および物質安全性およびデータシート（ＭＳＤＳ）情報の使用の管理、グローバル警告の発行などのタスクを実行できる。
【００８９】
プロジェクトマネージャーは、デスクトップのフロントエンドにアクセスして、ジョブの生成、ジョブへの担当者の割り当て、定義された権限内でのジョブの役割の設定、ジョブの計画の付加、ジョブの警告の発行（特定のジョブを行うまたはジョブの特定の側面に関する人々への警告）を含むタスクを実行できる。
【００９０】
ポータブルコンピューティング装置上で実行されるモバイルアプリケーションは、プロジェクトマネージャー、現場監督、現場担当者もアクセスでき、その結果、承認された場合の許可の転送、許可をテストしてクローズすることによる作業のホールド、ＪＳＡの生成、署名、更新、転送、クローズ、設備のテイク５、プレスタートリストの生成、設備の使用停止、会議を記録する警告および会議の記録の表示、報告の表示、機械の表示、ＭＳＤＳの表示、資格の表示、登録簿の表示、処理の間の計算機および安全思考のチャレンジの使用を含むタスクを実行できる。
【００９１】
ナビゲーション
Ａ）コミュニケーション活動（リスク警告、毎日の開始前会議、ウィークリーツールボックス会議、ハザードおよび事故報告、非遵守報告およびアイデアログを含む）は、モバイル装置の右上隅のアイコンからアクセスできる。重要なことは、このアイコンは位置が固定されたままであるため、インターフェース内のどの画面からでもアクセスできる。
【００９２】
Ｂ）図１のホーム画面１２に示されるリスクツールは、４つのメインアイコンのうちの１つのメインボタンの選択によって選択できる。この選択は、タッチ画面の隣接部分に接触する通常の方法で行われる。図１の実施形態では、画面は、本発明の主要な機能を代表するそれぞれの画面１４，１６，１８または２０に移動する。
１．許可。このアイコンは、必要とされる可能性がある以下を含むがこれに限定されない全ての許可にユーザーを誘導する。
【００９３】
ａ．作業許可
ｂ．高所作業
ｃ．閉鎖空間進入
ｄ．高温作業
ｅ．アスベスト除去
ｆ．発掘
ｇ．侵入
ｈ．高速切断鋸
ｉ．高圧水噴射
ｊ．環境（植物または動物）
ｋ．植生クリアリング
ｌ．文化領域へのアクセス
ｍ．遺産建造物での作業
２．計画。このアイコンは、必要とされる可能性がある以下を含むがこれに限定されない全ての計画にユーザーを誘導する。
【００９４】
ａ．建設スケジュール
ｂ．メソッド文．
ｃ．掘削前のダイヤル（ＤＢＹＤ：Ｄｉａｌ  Ｂｅｆｏｒｅ  Ｙｏｕ  Ｄｉｇ）
ｄ．汚染現場
ｅ．環境（植物または動物）
ｆ．文化領域
ｇ．遺産建造物
ｈ．検査および試験計画
ｉ．バイパス計画
３．リスク評価。このアイコンは、必要とされる可能性がある以下を含むがこれに限定されない全てのリスク評価にユーザーを誘導する。
【００９５】
ａ．契約リスク評価
ｂ．ＪＳＡ
ｃ．タスク評価
ｄ．テイク５
４．設備。このアイコンは、必要とされる可能性がある以下を含むがこれに限定されない全ての設備文書にユーザーを誘導する。
【００９６】
ａ．設備リスク評価（設備の種類ごとの固有のテンプレートを含む）
ｂ．設備のプレスタート（設備の種類ごとの固有のテンプレートを含む）
ｃ．以下を含むがこれらに限定されない設備登録簿
ｉ．資産登録簿
ｉｉ．電気的登録簿
ｉｉｉ．ポータブルはしご登録簿
ｉｖ．リフティングギア登録簿
ｖ．ハーネスおよび回復設備登録簿
ｄ．また、全ての登録簿は「使用不能タグ」機能を有する
Ｃ）図７６に示すように、使用頻度の低いリスクツールには、５つの補助リンクのうちの１つを介してアクセスできる。
【００９７】
１．化学物質またはＭＳＤＳ（化学物質登録簿および更新されたＭＳＤＳシートを入手する能力を含むＭＳＤＳシート）
２．計算機（現場で一般的に行われる計算のためのリアルタイム計算ツール）
３．トレーニング（自動有効期限警告による現在の資格へのアクセス）
４．緊急事態（ステップバイステップの緊急時および避難指示）
５．手続き（雇用者の既存手続のレビューのためのアクセス）
Ｄ）全てのリスク管理文書は、ジョブ番号に付加される。しかし、リスク管理文書は、特定のＪＳＡに付加して埋め込むこともできる。これにより、現場の従業員は、ＪＳＡを介してジョブに直接適用できる全てのリスク文書にアクセスできる。
【００９８】
自動生成
プロセス期間中のログ文書の自動生成は、現場担当者がテイク５（プロセス期間）およびログブック（ログ文書）を適時に完了することを保証することにより、現場リスク管理における課題を排除することを助ける。テイク５は、新しいタスクの開始前に完了する必要がある。各従業員の活動のログブックは、掘削機の操作、ドギング、クレーンの操作、長距離運転などの特定のリスクの高いタスクのために維持する必要がある。
【００９９】
開示されたシステムおよび方法は、テイク５のデータ入力および設備のプレスタートに基づいてログブックの自動生成を提供する。すなわち、テイク５のテンプレートは、ユーザーがログブックを維持すべき活動を行うかどうかを確認することをユーザーに要求する。ユーザーがテイク５のテンプレート内からこれらの活動の１つを選択すると、ポップアップボックスがユーザーから追加情報を取得し、この追加データを使用してユーザーの関連するログブックを自動生成する。
【０１００】
許可および計画のステータスの警告
異なる許可および計画は、異なる有効期間を有する。たとえば、短期の、数時間有効な許可および計画もあり、長期の、３０日以上有効な許可および計画もある。現場担当者の問題は、タイムリーかつ継続的で安全な作業の完了を保証するための許可および計画の更新または再発行である。開示されるシステムおよび方法は、以下を提供できる。
【０１０１】
ａ）期限切れまたは期限切れが近いＪＳＡに記載された許可および計画へのレッドクロスの適用
ｂ）ＧＰＳおよびタイムスタンプデータに基づく許可および計画の満了の自動警告
特定のジョブを遂行するために一定の資格、経験、または訓練が必要な特定の業務を行うための許可が発行される。許可には、許可の発行者、許可の保持者、許可に該当する他の担当者、許可の試験者、許可のクリアランス提供者などの役割が割り当てられてもよい。許可はまた、許可によってもたらされる責任、開始日時、終了日時および時間制限を有してもよい。許可の例としては、特定の作業現場での作業の許可、発掘の許可、アスベスト除去の許可、高温作業の実施の許可、閉鎖空間での作業の許可、高所での作業の許可、高電圧付近での作業の許可、高速切断鋸の使用の許可、高圧水噴射の使用の許可が含まれる。必要に応じて他の許可が提供されてもよい。
【０１０２】
許可メニュー１４は、図１６においてより詳細に示される。この画面は、画面見出し３８を含む。許可について、列挙された許可が適用可能なジョブを示す情報バー３２を画面見出し３８の下に含む。また、３４を選択することによってジョブを切り替えるオプションを含む。見出しは、ホーム画面１２に戻るための逆矢印３６も含む。メッセージの到着がこのレベルから確認できるようにメッセージアイコン３０も含む。
【０１０３】
この特定のジョブのための許可が列挙されており、この例では、そのジョブが下水道の取り替えである場合、許可は、高速切断鋸の操作６０、高所での作業の許可６２、現場での作業の許可６４、クラスＢの高圧水噴射の使用の許可６６、高温作業の実行の許可６８、掘削の許可７０、閉鎖空間での作業の許可７２である。作業の許可６４は、７４の近傍を押すことによって選択できる。図１７に示されるように、これはこの特定の許可についての情報をオープンする。図１７は、装置表示画面の種類のモバイルアプリケーションによって表示されるスクリーンショットを示し、一番上は、許可８０の見出しであり、それは作業の許可である。許可についての詳細を示すメニューバー８２が存在する。ユーザーは、許可に関する情報の異なる種類のカテゴリーを選択できる。この場合、許可データ８４、許可８６および事前動員確認８８についての文書が存在する。これらの各々を選択できる。この例では、許可データのタブが強調表示され、ウィンドウ９０には、作業の許可に関する情報が提供される。許可は、有効な時間枠を有し、９４で示される日付から９６で示される日付まで有効である。強調表示された領域９６は、この日付を変更できるように選択される。さらに、実行される作業の説明は、実行される作業の種類を定義するように９２において選択される。現場担当者がアクセス可能なデータは、データベースから自動的に取り出されるため、ポータブル装置のメモリーに自動的にロードされて表示される。許可の満了は、最大の許容期間にリセットできる。
【０１０４】
許可の発行者は、全ての許可のチェックの責任を負う。許可の発行者は、参照チェックおよび介入に案内されうる。許可の保有者は、許可に従って作業を確認する責任を負う。
【０１０５】
図１８を参照すると、タイトルバー１００に表示された高所作業の許可の例が示され、メニュースライダー１０２のメニューアイテム「設備およびモードにアクセス」が選択されて強調表示される。これは、この許可の性質と、それを発行するために必要なものと、この許可に必要な全ての制約事項に関する視覚的ガイドを含む情報をユーザーに提供する。１０４によって示されるように転倒した人を制限する必要がある。許可が何を必要とするかについての視覚的ガイドが１０６に存在し、この環境で操作する必要がある装備が１０８に表示される。
【０１０６】
見出し１１０に示されるように、高温作業の許可の例である図１９および図２０を参照する。許可のチェックリストのアイテムは、バーメニュー１１２で選択することができ、アイテムはウィンドウ１１４に列挙される。チェックリストのアイテムは、「タスクは壁や天井または閉じた設備の高温作業を含むか？」という質問をする。そうであれば、示されるようにｙｅｓのボックス１１６がチェックされる。これにより、その状況に関連する追加の要件が生じる可能性がある。
【０１０７】
チェックリスト１１４’の他の態様を示す図２０を参照する。チェックする必要があるアイテムがそうでない場合、１１６で示すように、チェックリストごとの要件が全て満たされていないため、作業が進まないことを示す通知１１８が表示されてもよい。これにより、現場担当者は、要件が何であるかを知ることができ、要件が満たされているかどうかをチェックする処理に進むことができる。必要なアイテムのいずれかが満たされていない場合は、作業を進めることが許可されていないことが通知される。また、これにより、状況が変化した場合に回答を変更できる。チェックされたアイテムの要件が満たされているこの例では、対話形式で自動的に通知１１８が変更される。
【０１０８】
許可されている全ての人は、役割特有の通知を受け取ることができる。許可に割り当てられた担当者が列挙され、ジョブを遂行するためにどのような種類の許可が必要であるかをユーザーが把握できるようにリマインダーを提供できる。ユーザーは、許可を確認し、積極的に受け入れて、彼らが理解していることを示し、許可の理解の記録があり、それが割り当てられており、特定の許可に関連したリスクにおいて彼らの役割に対する彼らの責任を受けていることを示すことができる。
【０１０９】
図４に示すように、新しい許可を発行できる。たとえば、１５０によって示されるようにアスベスト除去の許可が必要な場合である。新しい許可を生成するアイコンが１５２において選択される。ユーザーは、許可されるべきジョブの詳細およびタスクを含む許可の詳細を提供する画面１５４に進む。次に、図２１に示すように必要とされるアスベスト除去のタイプを識別する次のスクリーン１５６に進み、必要とされる情報のいくつかをより明確に示す。この画面では、除去可能な者が「脆弱ではないアスベストを１０ｍ２未満」の正しいライセンスを保有しているかどうかを問い合わせられる。他の詳細は、１５６に示されるように提供される。入力されると、ユーザーは進むことができ、スクリーン１５８において、許可を必要とするジョブおよびこのジョブに特有のリスクについての情報を提供できる。情報は、スクリーン１６０および１６２においてチェックボックスに入力するかフリーテキストとして入力できる。
【０１１０】
許可の生成の他の例が図５に示され、それは図２２に詳細に示され、１７２において始まる閉鎖制限された空間への侵入許可の生成である。許可に必要なジョブの詳細およびタスクを含む許可についての基本的な情報は、１７４に示される。担当者は、図２２に示すように、１７６において許可に割り当てられる。許可の安全要件に関する情報は、１８０と１８２に入力される。
【０１１１】
掘削の許可のさらなる例が、図６に関連して示される。許可の生成は１９０において始まり、１９２に進み、許可要求に必要なジョブの詳細とタスクを含む許可要求に関する基本情報が表示される。必要なタスクと、掘削に関連するクリアランス要件を含むタスクの要件は、ウィンドウ１９４，１９６，１９８，２００および２０２に入力される。図２３は、１９６の一部をより詳細に示す。このメニューアイテムでは、チェックボックスを選択することによって情報を入力できる。
【０１１２】
高圧水噴射の許可の生成のさらなる例が、図７に関連して示され、２１０で始まり、許可についての詳細が２１４に示される。プロセスは、２１６における、および図２４に示すようなさらに詳細の入力に進む。この許可の要件に関する情報は、チェックボックスの完了によって入力できる。
【０１１３】
高温作業の許可の生成のさらなる例が、図８に関連して示され、２２０で始まる。許可に関する基本情報は、２２４に示される。
【０１１４】
ジョブに関する情報は、２２６において、図２５にさらに詳細に示されるように入力される。作業に関する注意事項と、高温作業の実行を支援することが許可された人も、２２８，２３０、および２３２に入力される。
【０１１５】
図９は、高所作業の許可の発行の例を示し、２７０で始まり、２７２に進み、基本情報が提供される２７４に進む。必要な作業の性質に関する情報は２７６に入力され、図２６に詳細に示される。２８２および２８４において救助計画および人物のスタンドに関する情報などのさらなる情報が、２７８に入力される。
【０１１６】
一般的な許可の例が図２９に示される。図２７に示すような様々な担当者に関連して使用される各許可は、作業現場での作業が許可されている担当者のリストを示す。リストは、保有者が許可を移転しようとしている場合は、許可の保有者を移転できる担当者のみを表示するように生成される。リストは、許可が与えられた種類の作業を行うことができる担当者を許可の保有者に追加できる担当者のみを表示するように生成される。各許可に関係する各人物には、図２８に示すように、彼らが関係する仕事の各許可をレビューおよび署名する必要に関するリマインダーが提供される。
【０１１７】
許可の期間は追跡可能であり、許可の期間の満了前に、延長または新しい許可が必要な場合に措置を取ることができるように保有者に通知される。許可のもとで行われた作業が終了すると、許可がクローズされうる。許可の保有者および発行者は、許可に関連して変更が加えられたときに通知される。
【０１１８】
リスク評価
図３０は、ホーム画面１２と、４０２で示された領域内の画面のタッチによるリスク評価の選択を示す。これにより、ユーザーは図３１にも示されるメニュー２０に移動する。先頭４１０の見出し、逆矢印およびメッセージのアイコンによってプレゼンテーションの一貫性が示される。ジョブは下に列挙される。スライドメニューバー４１２により、ユーザーは、行われるリスク評価の種類を選択できる。一実施形態では、リスク評価の種類はＪＳＡまたはテイク５である。テイク５が選択され、強調表示される。既存のリスク評価のリストが４１６において提供される。タスクまたは日付による既存のテイク５の検索を４１４において入力できる。新しいテイク５を４１８において入力できる。テイク５を以下で詳述する。
【０１１９】
ＪＳＡは、クローズするまで発行、更新、または移転されうる。リスク評価としてＪＳＡが選択され、既存のＪＳＡが選択されると、装置は図３２のウィンドウ４３８においてＪＳＡに関する基本情報を表示する。基本情報のオプションは、見出し４３２においてＪＳＡの名前でスライドメニューバー４３４において選択される。メニュー４３４内の基本情報以外の他のオプションは、リスク評価担当者である。ＪＳＡには、メインメニューのトップメニュー４３２に示される識別番号が付与される。また、４４０で示されるように、ＪＳＡに署名するか、ＪＳＡをクローズしＪＳＡを更新するオプションもある。
【０１２０】
図３３は、リスク評価の方法ステップを選択できるウィンドウ５１０を示す。強調表示された領域５１２上の選択は、図３４の５２０に示されるように、「現場の全時間」を開く。これにより、ユーザーはリスク評価にリスクを追加できる。リスク領域の追加５２２を選択すると、図３５の５３０にリスクのリストが表示される。ユーザーは、これらのリスクから選択し、それらをリスク評価に追加できる。次に、ユーザーは、リスクアイテム５３２の隣の次のメニューアイテムに示されるように、制御（コントロール）をスワイプできる。これにより、図３６の５４０で示すようにリスクを緩和するために利用可能な制御が開く。制御の見出しがメニュー５４２で強調表示される。ユーザーは、図３７の５５０においてリスク格付けを選択できる。選択されていないリスク格付けが選択されると、図３８のポップアップリスクマトリクス５６０が開かれる。利用可能な選択肢は、マトリックスの各軸のように影響および尤度に依存する。影響は、マイナー、ミディアム、シリアス、メジャーから選択される。尤度は、可能性が非常に高い、可能性が高い、可能性が低い、可能性が非常に低いから選択される。これらの軸のセクションがリスク格付けを決定する。５６４で示されるようにマイナーな影響が選択される。これにより、健康および安全性と環境への影響の点におけるマイナーな影響の意味を示す図３９のポップアップが開く。図４０は、選択された全てのリスクにリスク格付けが与えられていることを示す。
【０１２１】
リスクの評価は、図４１のように担当者の割り当てに進むことができる。このＪＳＡによって影響を受けた担当者は、現場監督の詳細を含む５９０において列挙されうる。ＪＳＡは、提出ボタン５９２を選択することによって提出できる。これは、図４２に示すような通知を、図４１に列挙される全ての担当者に発行し、図４２に示されるようにリマインダーに示される。ＪＳＡをレビューおよび署名できる。状況によっては、ＪＳＡを更新できてもよい。
【０１２２】
図１０は、新たなＪＳＡの生成プロセスを示す。メインメニューから選択すると、プロセスは４５０で開始し、上記のように図３１にも示される。新たなＪＳＡに関する基本的な情報は、図４３にも示されるように、４５２に示される。
【０１２３】
方法のステップは、図４４にも示されるように、４５４に入力される。リスクがリストから選択される。リスト内のリスクの検索の例が図４５に示され、選択されたリスクが図４６に列挙される。ステップ４６０〜４６６で制御とリスク格付けが行われ、ステップ４６８で担当者に割り当てられる。
【０１２４】
テイク５はユーザーに固有のものであるが、依然として中央に保持され、依然として文書の動的インターフェースを有する。ユーザーは、タスクを開始する前に、自分自身のリスクを評価する。図１１は、７１０によって示されるようにテイク５を実行するための選択によって開始するプロセスを示す。ユーザーは、７１２において作業中のジョブを選択できる。ジョブの詳細は７１４において現れ、ジョブを選択するとジョブのさらなる詳細は７１６に示される。図４７は、画面の形態を示す。ユーザーは、７４２において共通タスクのリストから実行されるタスクを選択できる。ユーザーはリストをスクロールまたは検索できる。
【０１２５】
図４８は、選択された種類のタスクに適用されるリスクのリストを示す。リスクは７２２において選択できる。リスクを緩和できる制御のリストが７２４において示される。
【０１２６】
図４９の追加のメニューオプションは、リスクが何を伴うかについての情報と、リスクを監視するためのリマインダーを提供する。また、リスクを監視することもでき、何か変更があった場合、ユーザーは他のテイク５を完成させ、リスクを再評価し、リスクを緩和するためにどのような制御を適用するかを選択できる。
【０１２７】
設備のプレスタートの視覚的な手がかり
設備のプレスタートが完了すると、担当者は特定のチェックが設備のどのコンポーネントに関係するかについて混乱する可能性がある。これは、特に読解が困難な人（たとえば失読症）の場合に発生する。開示されたシステムおよび方法は、以下を提供する。
【０１２８】
ａ）設備のチェック番号に従って番号が付けられた各構成を備えた設備の図。
【０１２９】
ｂ）各チェックが関連する構成要素の強調表示（色の変更による）。
【０１３０】
たとえば、高速切断鋸のプレスタートのテンプレートでは、チェック番号１１は切断ブレードに関連する。したがって、高速切断鋸の図はブレードに「１１」と番号を付け、ユーザーがブレードのチェックの質問をスクロールすると、図中のブレードの色が変わる。
【０１３１】
ホーム画面１２から、図１２に示すように、設備が選択され、サブメニューが８００において提供される。メニューは、ジョブで使用するために提供されるか利用可能な設備のリストを含む。ユーザーは、図５０においてプレスタート、リスク評価を実行する設備のアイテムを選択しまたは登録簿を閲覧できる。選択されたジョブに使用される設備のリストがウィンドウ８０２に示される。あるいは、ユーザーは、８０４において設備の特定のアイテムを検索できる。特定の設備に関連するリスク評価および登録簿は静的であるが、プレスタートのチェックは固有であり動的である。装置のプレスタートのアイテムが選択されると、対話型となりうるテンプレート化されたチェックのセットが示される。たとえば、ユーザーが８１８において与えられたアイテムのクイックサマリーを選択した場合、制御情報のセットが図５１およびアイテム８２０に示すように現れる。ユーザーは、その設備のアイテムに関する固有の詳細を見ることができる。ユーザーは、この特定の設備に関する基本情報を確認でき、この情報は、設備のアイテムが正常に動作することを確認するためにチェックするアイテムのチェックボックスが含まれている。ユーザーは、８５２において示された質問に回答できる。回答の１つが、メニューアイテム８２２のように、また図５２でより詳細に示されるように、設備が正常に動作しないことを示す場合、ユーザーには、設備が正常に動作しないという情報が提供される。たとえば、図５２に示される場合において、設備のアイテムは、８６２において示されるようにオイル漏れがあり、この例では、故障中である。これらは、ユーザーに報告するアイテムであり、現場監督を含み設備を故障中としてタグ付けする。報告は、「報告送信」ボタン６００および８６４の選択によって自動的に送信され、既に提供された情報によって、書式のオープン領域を自動的に完了させうる。
【０１３２】
図１２に戻り、選択するアイテムは、ユーザーが必要とされる設備の他のアイテムであるスキッドステア８０８の使用を必要とする場合、他のプレスタートが使用されることを示す。プロセスは８３０から８４０に進み、設備のその部分のためのプレスタートの要件を確認する。
【０１３３】
設備の過剰使用チェック
設備のプレスタートが完了すると、その日の設備の使用が特に過剰または激しいかどうかを質問される。ユーザーが肯定を示した場合、設備のプレスタートは追加のチェックを完了する必要がある。たとえば、車のプレスタートでは、長距離またはオフロードの運転のための追加のチェックを完了する必要がある。
【０１３４】
データベースのタップ
作業の安全な完了には、掘削前のダイヤル（ＤＢＹＤ）や汚染現場などの第三者のデータベースへのアクセスが必要となる場合がある。計画は、一般に事務所担当者によって行われ、現場の担当者に紙の形式で提供される。記載されるシステムおよび方法は、以下を含む。
【０１３５】
１．現場担当者が自分の作業に適用される計画のＰＤＦファイルを閲覧可能とする（計画のアイコンまたはＪＳＡのカバー画面を介して）。これらのＰＤＦファイルは、一般に、事務所担当者によって提供され、アプリケーションにロードされる。
【０１３６】
２．また、第三者のデータベース（たとえば、ＤＢＹＤおよび汚染現場データベース）から直接計画を取得することも考えられる。
【０１３７】
リアルタイム自動警告
現場の活動（個人のモバイル装置および／またはウェアラブル技術によってＧＰＳ追跡される）の間に、現場の担当者に自動警告（音声および振動）を提供できる。
【０１３８】
ａ．掘削がＤＢＹＤにおいて規定されている地下サービスの近傍に接近した場合
ｂ．活動が特定の許可と計画（たとえば、環境の許可）において規定されている近傍または境界に接近した場合。
【０１３９】
ｃ．担当者が特定の稼動プラントまたは設備（掘削機など）の近傍に侵入した場合（この場合、警告は作業者および関連する地上の担当者に発行される）
ｄ．特定のノイズレベルが装置によって検出された場合
ｅ．特定の振動レベルがモバイル装置によって検出された場合
ｆ．特定の周囲温度がモバイル装置によって検出された場合
図３を参照すると、アイテム９２２に示されるように、設備の故障を報告する場合などに自動的に生成される新しい報告の生成が示され、またはそれはリスクを示すまたは報告を必要とする事故である事象の観察によって生成されてもよい。報告の完成は、チェックボックスを選択することによる情報の完成を含み、たとえば、電気を含む問題であるかどうか、健康および安全リスクかどうか、環境リスクであるかどうか、その他の要因として、負傷者がいるかどうか、他の人が関与しているかなどの要因が含まれる。これはボックス９２４に入力できる。人が関与する傷害があった場合、９２６に詳細を入力できる。
【０１４０】
情報は、図１３に示すように報告に入力でき、アイテムの性質は８２０において選択できる。８７０において、設備故障の重大度の概要が、ボックス８３４および８３６において提供される。問題の写真が撮影されてアップロードされうる。
【０１４１】
本発明は、リスクについてユーザーに通知できること加えて、図２に示される報告の会議に関する警告情報を提供することを含む発表のためのプラットフォームを提供できる。図５３は、場所のメニュー９３２が、右上隅のアプリケーションアイコンの選択によって開かれることを示す。これは、待機中の警告が存在し、ジョブリスト９３４によって示されるように、選択されたメニューが開かれると、特定のジョブに関する警告を表示することを示す。図５４では、サイクロンの更新９４０が発行されていることを示す。ユーザーは、サイクロンの更新を選択して図５５のサイクロンの警告に関する追加情報９４４にアクセスできる。
【０１４２】
図５６にさらに詳細に示すように、情報はホーム画面にも提供することができる。これは、ＭＳＤＳへのアクセスを提供する化学物質ジョブを遂行するためコンパイルを実行するためにユーザーが利用可能な計算機、救急処置のような訓練情報やプロトコルさらに一般的な手続きへのアクセスなどの見出しの下の文書、ビデオおよびツールの情報のリスト９６４を示す。また、ジョブタブ９６０の下には、ジョブに関連して生成された文書（許可、ＪＳＡ、テイク５など）のリストと、受け入れおよびまたは署名される必要がある文書のリマインダーが存在する。
【０１４３】
図２は、自然の火災警告を示す。メインタイトルの下に通知ボックスが表示される。選択されると、警告メニューは、９０４において警告を列挙する。警告ウィンドウが９０６において開き、火災警告のリストが表示される。これは、自然の火災警告を見てそれに関する情報を得るために９０８において開くことができる。
【０１４４】
設備のタグ付け自動リマインダー
開示されたシステムおよび方法は、すべての設備のタグ付け要件のための自動リマインダーを含むことができる。たとえば、電気設備、リフトギア、ポータブルはしご、ハーネスおよびリカバリギアの４半期ごとのタグ付けおよび確認のために自動リマインダーが発行される。
【０１４５】
ペイント色置換
現場作業者が現場において地下サービスを電子的に探しているときに、視認性の高いペイントマークで表面をマークするために使用される「一般的な」色のセットがある。たとえば、次のように表面をマークするのが一般的である。
【０１４６】
Ａ）水のための青色の線
Ｂ）下水道のための緑色または黒色の線
Ｃ）電力のための橙色の線
Ｄ）ガスなどのための黄色の線
しかし、実際には、作業者はしばしば必要な色のペイントが不足し、他の利用可能な色を即席で作成する。
【０１４７】
開示された掘削の許可は、ユーザーが各サービスの色付きのドットを選択することによって、地下サービスの各種類をマークするために使用された色を規定可能とする。これは、一般的に各サービスの色を指定する紙ベースのシステム（ペイント色が利用できない場合、現場オペレーターは無視する）とは異なる。
【０１４８】
会議
アプリケーションは、関係者が次のような会議を開催可能とする。
【０１４９】
ａ．会議における議論のためのトピックの追加
ｂ．議事録を記録するための音声からのテキスト入力の使用
ｃ．アクションアイテムの特定の担当者への割り当ておよび各アクションアイテムへの期限の設定
ｄ．会議の参加者は２つの通知を受ける
ｉ．会議の議事録のレビューおよび署名のリマインダー
ｉｉ．割り当てられた各アクションアイテムのリマインダー
保留中のリスク警告がある場合、現場監督および／またはプロジェクトマネージャーは、会議においてこれらを呼び出すよう要求されてもよい。
【０１５０】
署名
ユーザーが文書に「サイン」するたびに、最初に１つ以上のステートメントを確実に確認する必要がある（たとえば、「このＪＳＡをレビューし、理解し、遵守することに同意する」など）。このステートメントは、各文書に特有のもので、各文書の各ユーザーの役割に特有のものである。署名が残っている場合、それが注目されるまでリマインダーにおいてそれを行う必要が残る。
【０１５１】
この分野におけるリスク管理のための情報を提供および受信する開示された方法およびシステム、より詳細には、許可、計画、リスク評価および設備情報にアクセスし、文書を自動生成し、データを送信し、許可の可溶性および場所に基づいて通知を受信し、現場作業者がリスク管理のプロセスに携わり、現場作業者が適切な方法でリスク管理作業を完了できるようにするためのツールを提供する。開示された構造およびナビゲーションシステムおよび方法は、ナビゲーション、自動生成、許可および計画ステータスの警告、設備のプレスタートの視覚的な手がかり、データベースのタップ、リアルタイムの自動警告、設備の過剰使用のチェック、設備のタグ付けの自動リマインダーおよびペイント色置換、さらに現場作業者をリスク管理の過程に関与させ、現場作業者が適切な方法でリスク管理タスクを完了させるためのツールを提供する。
【０１５２】
担当者個人のモバイル装置から
ａ．担当者は以下を閲覧できる。
【０１５３】
Ｉ．ジョブライブラリーに添付されている全ての計画など（デスクトップアプリケーション経由）
ＩＩ．彼らが生成または署名した全ての文書
ｂ．現場監督とプロジェクトマネージャーは、上記の全ての文書と、他の誰かがジョブについて生成または発行した全ての文書を閲覧できる。
一般的な操作
本発明のツールは、３つのアプリケーションとして提供されてもよい。これらのアプリケーションは、デスクトップのバックエンド、デスクトップのフロントエンドおよびモバイルアプリケーションである。これらのアプリケーションの各々は、異なる動作機能を有し、ジョブライブラリー１２１０を形成する組織データベース１２１２およびジョブデータベース１２１４において見られる、異なる情報のセットにアクセスする。
この開示は、発明の真実、意図された公正な範囲および精神を限定するのではなく、技術に従って様々な実施形態を形成および使用する方法を説明することを意図している。前述の説明は網羅的であることを意図するものではなく、開示された形態に厳密に限定されるものでもない。上記の教示に照らして、変更または変形が可能である。記載された技術の原理およびその実用的な適用の最良の説明を提供し、当業者が様々な実施形態において技術を利用することを可能にするために、実施形態を選択して記載した意図される特定の用途に適用される。そのような変更および変形のすべては、特許出願の係属中に修正され得るように、添付の特許請求の範囲によって決定される本発明の範囲内であり、合法的かつ公正に権利が与えられている範囲に基づいて解釈された場合、そのすべての均等物を意味する。
【国際調査報告】
2018511898.tif 000062
2018511898.tif 000063
2018511898.tif 000064
2018511898.tif 000065
2018511898.tif 000066